(57)【要約】【課題】電子装置（スマートフォン）と情報端末（電子時計）との間の送受信環境を容易に確立することができるとともに、両者間での通信における双方向の受信状況を確認すること。【解決手段】電子装置（スマートフォン）１１０の発光素子２０６が発光する光の発光パターンによって情報端末１２０へ送信した光信号を、情報端末（電子時計）１２０の受光素子３０３が受光することによって、電子装置１１０から情報端末１２０へ光信号を受信し、情報端末１２０が発する音の発音パターンによって電子装置１１０へ送信した音響信号を、電子装置１１０が集音することによって、電子装置１１０が情報端末１２０から音響信号を受信する双方向通信システム１００を構成した。【選択図】図６
2018191228.tif 000002
【特許請求の範囲】
【請求項１】
電子装置と情報端末との間で双方向通信をおこなう双方向通信システムであって、
前記情報端末は、前記電子装置から送信される光信号を受光して電気信号に変換する受光素子と、
データ信号に応じて音響信号を発生させる音響素子と、
第１の制御回路と、を有し、
前記第１の制御回路は、前記受光素子から出力される前記電気信号に応じた制御処理をおこない、前記電子装置に音響信号として送信するデータ信号を前記音響素子に出力し、
前記電子装置は、前記情報端末から送信される音響信号を集音して電気信号に変換するマイクと、
前記情報端末へ送信するデータ信号に応じて光信号を発生させる発光素子と、
第２の制御回路と、を有し、
前記第２の制御回路は、前記マイクから出力される前記電気信号に応じた制御処理をおこない、前記情報端末に光信号として送信するデータ信号を前記発光素子に出力する
ことを特徴とする双方向通信システム。
【請求項２】
前記情報端末は、前記光信号の受光にともなう前記電気信号をデータ信号として前記音響素子に入力し、かつ、前記電気信号を前記第１の制御回路に入力して前記電気信号に応じた制御処理をおこなう
ことを特徴とする請求項１に記載の双方向通信システム。
【請求項３】
前記第１の制御回路は、前記電子装置との通信状況に応じて、前記音響信号の時間長または音の周波数または音量または音の位相を可変に制御する
ことを特徴とする請求項１または２に記載の双方向通信システム。
【請求項４】
前記第１の制御回路は、前記受光素子による発電電圧または発電電流に応じて、前記音響信号の時間長または音の周波数または音量または音の位相を可変に制御する
ことを特徴とする請求項３に記載の双方向通信システム。
【請求項５】
前記第１の制御回路は、前記音響素子による音の周波数が可聴域外となる前記音響信号を出力する
ことを特徴とする請求項１〜４のいずれか一つに記載の双方向通信システム。
【請求項６】
前記第１の制御回路は、前記音響素子に報知音を出力させる報知処理部を有し、前記報知音の周波数と、音響信号に用いる音の周波数とが異なるようにそれぞれの音の周波数を設定する
ことを特徴とする請求項１〜５のいずれか一つに記載の双方向通信システム。
【請求項７】
前記第１の制御回路は、前記音響素子に報知音を発生させる報知処理部を有し、前記音響信号を送信しているときは、前記報知処理部による出力を無効にする
ことを特徴とする請求項１〜６のいずれか一つに記載の双方向通信システム。
【請求項８】
前記第２の制御回路は、前記情報端末との通信状況に応じて、前記光信号の発光速度または発光波長または発光強度を制御する
ことを特徴とする請求項１〜７のいずれか一つに記載の双方向通信システム。
【請求項９】
前記光信号または前記音響信号は、標準電波またはＧＰＳ衛星電波に使用されるタイムコード形式または当該タイムコードを模した形式の情報を含む
ことを特徴とする請求項１〜８のいずれか一つに記載の双方向通信システム。
【請求項１０】
前記第１の制御回路または前記第２の制御回路は、前記タイムコード形式または当該タイムコードを模した形式の情報を、時間軸に対して圧縮または伸長して出力する
ことを特徴とする請求項９に記載の双方向通信システム。
【請求項１１】
前記電子装置は、当該電子装置が有する現在時刻に関する情報と、信号処理の遅延時間とに基づいて、前記現在時刻に関する情報を、前記情報端末へ送信する
ことを特徴とする請求項１〜１０のいずれか一つに記載の双方向通信システム。
【請求項１２】
前記電子装置は、当該電子装置が有する現在時刻に関する情報から信号処理の遅延時間分だけ遅らせた時刻に関する情報を、前記情報端末へ送信する
ことを特徴とする請求項１１に記載の双方向通信システム。
【請求項１３】
前記電子装置は、当該電子装置が有する現在時刻に関する情報および信号処理の遅延時間に関する情報を、前記情報端末へ送信し、
前記情報端末は、当該電子装置が有する現在時刻に関する情報から信号処理の遅延時間分だけ遅らせた時刻に関する情報に基づいて計時をおこなう
ことを特徴とする請求項１１に記載の双方向通信システム。
【請求項１４】
前記電子装置および前記情報端末は、それぞれ無線電波を送受信可能なアンテナを備え、
前記無線電波による通信が不能である場合に、前記電子装置と前記情報端末との間で双方向通信をおこなう
ことを特徴とする請求項１〜１３のいずれか一つに記載の双方向通信システム。
【請求項１５】
前記音響素子は、当該情報端末のモータであり、前記音響信号は、前記モータによって駆動される被駆動体の発生音である
ことを特徴とする請求項１〜１３のいずれか一つに記載の双方向通信システム。
【請求項１６】
前記情報端末は内部時刻を示す指針を有し、
前記電子装置は、撮像素子を有し、
前記第２の制御回路は、前記撮像素子によって撮像される前記情報端末の前記指針の位置に基づいて、前記指針の駆動量を設定し、前記設定された駆動量の情報を含む前記光信号を送信する
ことを特徴とする請求項１〜１５のいずれか一つに記載の双方向通信システム。
【請求項１７】
前記電子装置は、撮像素子を有し、
前記第２の制御回路は、前記情報端末の識別情報を有し、前記電子装置の前記撮像素子の位置および前記発光素子の位置と、前記識別情報と、前記撮像素子による前記情報端末の撮像画像とに基づいて、前記発光素子の前記光信号を前記情報端末の前記受光素子が受光可能な配置に案内するための情報を通知する
ことを特徴とする請求項１〜１６のいずれか一つに記載の双方向通信システム。
【請求項１８】
電子装置と情報端末との間で双方向通信をおこなう双方向通信システムにおける情報端末であって、
外部装置からの光信号を受光して電気信号に変換する受光素子と、
入力された電気信号に応じて音を発生させる音響素子と、
制御回路と、を有し、
前記制御回路は、前記受光素子から出力される前記電気信号に応じた制御処理をおこない、前記外部装置に音響信号として送信するデータ信号を前記音響素子に出力する
ことを特徴とする情報端末。
【請求項１９】
電子装置と情報端末との間で双方向通信をおこなう双方向通信システムにおける電子装置であって、
外部装置からの音響信号を集音して電気信号に変換するマイクと、
入力された電気信号に応じて光信号を発生させる発光素子と、
制御回路と、を有し、
前記制御回路は、前記マイクから出力される前記電気信号に応じた制御処理をおこない、前記外部装置に光信号として送信するデータ信号を前記発光素子に出力する
ことを特徴とする電子装置。
【発明の詳細な説明】
【技術分野】
【０００１】
この発明は、電子装置と情報端末間との双方向通信を実現する双方向通信システムおよび情報端末および電子装置に関する。
【背景技術】
【０００２】
従来、正確な時刻情報を含む標準電波を受信し、受信された標準電波に含まれる正確な時刻情に基づいて自装置が計時する時刻にかかる計時情報を修正する電波時計が知られている。また、従来、Ｂｌｕｅｔｏｏｔｈ（登録商標）による通信によって、正確な時刻情報を外部から取得して、自装置が計時する時刻にかかる計時情報を修正したり、特定機能の設定状態などの自装置の内部情報を送信したりする電子時計や電波時計が知られている。
【０００３】
電波時計ではない電子時計や、Ｂｌｕｅｔｏｏｔｈ（登録商標）による通信によって外部と通信をおこなう電子時計や電波時計であっても電波の受信が困難な状況においては、計時情報を修正したり特定機能を設定することができない。
【０００４】
関連する技術として、具体的には、従来、スマートフォンによって発光された照明光を、時計が備える太陽電池パネルによって受光することにより、一定周期ごとの信号レベルを検出し、一定周期ごとの信号レベルそれぞれに対応する数値から構成されるｎ進数のタイムコードを取得し、取得したタイムコードによってあらわされる時刻に従って計時回路が計時する時刻を修正するようにした技術があった（たとえば、下記特許文献１を参照。）。
【先行技術文献】
【特許文献】
【０００５】
【特許文献１】特開２０１４−４８１３６号公報
【発明の概要】
【発明が解決しようとする課題】
【０００６】
しかしながら、上述した特許文献１に記載された従来の技術は、スマートフォンのディスプレイと、電子時計や電波時計などの時計の時刻表示面と、が対向した状態で通信をおこなわなくてはならず、操作性に劣るという問題があった。また、上述した特許文献１に記載された従来の技術は、スマートフォンから時計へ信号を送信する一方向通信しかおこなうことができないため、通信が正常におこなわれたかという通信状況を確認することが難しいという問題があった。
【０００７】
仮に、双方向光通信とするために電子時計に発光素子を設けるとしても、スマートフォンおよび電子時計の双方の発光素子と受光素子との位置を揃えることは困難であり、また、時刻などの情報を表示する面に発光素子を配置することはデザインの制約を受け審美性に欠けるという問題があった。
【０００８】
この発明は、上述した従来技術による問題点を解消するため、送受信環境を容易に確立することができるとともに、スマートフォンと電子時計との間での通信における双方向の受信状況を確認することができる双方向通信システムおよび情報端末および電子装置を提供することを目的とする。
【課題を解決するための手段】
【０００９】
上述した課題を解決し、目的を達成するため、この発明にかかる双方向通信システムは、電子装置と情報端末との間で双方向通信をおこなう双方向通信システムであって、前記情報端末は、前記電子装置から送信される光信号を受光して電気信号に変換する受光素子と、データ信号に応じて音響信号を発生させる音響素子と、第１の制御回路と、を有し、前記第１の制御回路は、前記受光素子から出力される前記電気信号に応じた制御処理をおこない、前記電子装置に音響信号として送信するデータ信号を前記音響素子に出力し、前記電子装置は、前記情報端末から送信される音響信号を集音して電気信号に変換するマイクと、前記情報端末へ送信するデータ信号に応じて光信号を発生させる発光素子と、第２の制御回路と、を有し、前記第２の制御回路は、前記マイクから出力される前記電気信号に応じた制御処理をおこない、前記情報端末に光信号として送信するデータ信号を前記発光素子に出力することを特徴とする。
【００１０】
また、前記情報端末は、前記光信号の受光にともなう前記電気信号をデータ信号として前記音響素子に入力し、かつ、前記電気信号を前記第１の制御回路に入力して前記電気信号に応じた制御処理をおこなうことを特徴とする。
【００１１】
また、この発明にかかる双方向通信システムは、上記の発明において、前記第１の制御回路は、前記電子装置との通信状況に応じて、前記音響信号の時間長または音の周波数または音量または音の位相を可変に制御することを特徴とする。
【００１２】
また、前記第１の制御回路は、前記受光素子による発電電圧または発電電流に応じて、前記音響信号の時間長または音の周波数または音量または音の位相を可変に制御することを特徴とする。
【００１３】
また、この発明にかかる双方向通信システムは、上記の発明において、前記第１の制御回路は、前記音響素子による音の周波数が可聴域外となる前記音響信号を出力することを特徴とする。
【００１４】
また、この発明にかかる双方向通信システムは、上記の発明において、前記第１の制御回路は、前記音響素子に報知音を出力させる報知処理部を有し、前記報知音の音の周波数と、音響信号に用いる音の周波数とが異なるようにそれぞれの音の周波数を設定することを特徴とする。
【００１５】
また、この発明にかかる双方向通信システムは、上記の発明において、前記第１の制御回路は、前記音響素子に報知音を発生させる報知処理部を有し、前記音響信号を送信しているときは、前記報知処理部による出力を無効にすることを特徴とする。
【００１６】
また、この発明にかかる双方向通信システムは、上記の発明において、前記第２の制御回路は、前記情報端末との通信状況に応じて、前記光信号の発光速度または発光波長または発光強度を制御することを特徴とする。
【００１７】
また、この発明にかかる双方向通信システムは、上記の発明において、前記光信号または前記音響信号は、標準電波またはＧＰＳ衛星電波に使用されるタイムコード形式または当該タイムコードを模した形式の情報を含むことを特徴とする。
【００１８】
また、この発明にかかる双方向通信システムは、上記の発明において、前記第１の制御回路または前記第２の制御回路は、前記タイムコード形式または当該タイムコードを模した形式の情報を、時間軸に対して圧縮または伸長して出力することを特徴とする。
【００１９】
また、この発明にかかる双方向通信システムは、上記の発明において、前記電子装置は、当該電子装置が有する現在時刻に関する情報と、信号処理の遅延時間とに基づいて、前記現在時刻に関する情報を、前記情報端末へ送信することを特徴とする。
【００２０】
また、この発明にかかる双方向通信システムは、上記の発明において、前記電子装置は、当該電子装置が有する現在時刻に関する情報から信号処理の遅延時間分だけ遅らせた時刻に関する情報を、前記情報端末へ送信することを特徴とする。
【００２１】
また、この発明にかかる双方向通信システムは、上記の発明において、前記電子装置は、当該電子装置が有する現在時刻に関する情報および信号処理の遅延時間に関する情報を、前記情報端末へ送信し、前記情報端末は、当該電子装置が有する現在時刻に関する情報から信号処理の遅延時間分だけ遅らせた時刻に関する情報に基づいて計時をおこなうことを特徴とする。
【００２２】
また、この発明にかかる双方向通信システムは、上記の発明において、前記電子装置および前記情報端末は、それぞれ無線電波を送受信可能なアンテナを備え、前記無線電波による通信が不能である場合に、前記電子装置と前記情報端末との間で双方向通信をおこなうことを特徴とする。
【００２３】
また、この発明にかかる双方向通信システムは、上記の発明において、前記音響素子は、当該情報端末のモータであり、前記音響信号は、前記モータによって駆動される被駆動体の発生音であることを特徴とする。
【００２４】
また、この発明にかかる双方向通信システムは、上記の発明において、前記情報端末は内部時刻を示す指針を有し、前記電子装置は、撮像素子を有し、前記第２の制御回路は、前記撮像素子によって撮像される前記情報端末の前記指針の位置に基づいて、前記指針の駆動量を設定し、前記設定された駆動量の情報を含む前記光信号を送信することを特徴とする。
【００２５】
また、この発明にかかる双方向通信システムは、上記の発明において、前記電子装置は、撮像素子を有し、前記第２の制御回路は、前記情報端末の識別情報を有し、前記電子装置の前記撮像素子の位置および前記発光素子の位置と、前記識別情報と、前記撮像素子による前記情報端末の撮像画像とに基づいて、前記発光素子の前記光信号を前記情報端末の前記受光素子が受光可能な配置に案内するための情報を通知することを特徴とする。
【００２６】
また、この発明にかかる情報端末は、電子装置と情報端末との間で双方向通信をおこなう双方向通信システムにおける情報端末であって、外部装置からの光信号を受光して電気信号に変換する受光素子と、入力された電気信号に応じて音を発生させる音響素子と、制御回路と、を有し、前記制御回路は、前記受光素子から出力される前記電気信号に応じた制御処理をおこない、前記外部装置に音響信号として送信するデータ信号を前記音響素子に出力することを特徴とする。
【００２７】
また、この発明にかかる電子装置は、電子装置と情報端末との間で双方向通信をおこなう双方向通信システムにおける電子装置であって、外部装置からの音響信号を集音して電気信号に変換するマイクと、入力された電気信号に応じて光信号を発生させる発光素子と、制御回路と、を有し、前記制御回路は、前記マイクから出力される前記電気信号に応じた制御処理をおこない、前記外部装置に光信号として送信するデータ信号を前記発光素子に出力することを特徴とする。
【発明の効果】
【００２８】
この発明にかかる双方向通信システムおよび情報端末および電子装置によれば、送受信環境を容易に確立することができるとともに、スマートフォンと電子時計との間での通信における双方向の受信状況を確認することができるという効果を奏する。
【図面の簡単な説明】
【００２９】
【図１】双方向通信をおこなう情報端末および外部装置である電子装置の外観を示す説明図である。
【図２】電子装置の構成を示す説明図である。
【図３】情報端末の構成を示す説明図である。
【図４】電子装置および情報端末のハードウエア構成を示すブロック図である。
【図５】双方向通信システムの機能的構成を示すブロック図である。
【図６】双方向通信システムにおける通信方法を示す説明図（その１）である。
【図７Ａ】双方向通信システムの処理手順１を示す説明図である。
【図７Ｂ】双方向通信システムの処理手順２を示す説明図である。
【図８】双方向通信システムにおける通信方法を示す説明図（その２）である。
【図９】双方向通信システムにおける通信方法を示す説明図（その３）である。
【図１０】双方向通信システムにおける通信方法を示す説明図（その４）である。
【図１１】双方向通信システムにおける通信方法を示す説明図（その５）である。
【図１２】双方向通信システムにおける通信方法を示す説明図（その６）である。
【発明を実施するための形態】
【００３０】
以下に添付図面を参照して、この発明にかかる双方向通信システムおよび情報端末および電子装置の好適な実施の形態を詳細に説明する。
【００３１】
まず、この発明にかかる実施の形態の双方向通信システムの構成について説明する。図１は、双方向通信をおこなう情報端末および外部装置である電子装置の外観を示す説明図である。図２は、電子装置の構成を示す説明図であり、図２（ａ）は電子装置を正面側から見た状態、図２（ｂ）は電子装置を背面側から見た状態を示している。図３は、情報端末の構成を示す説明図である。図４は、電子装置および情報端末のそれぞれのハードウエア構成を示すブロック図である。
【００３２】
電子装置は、たとえば、スマートフォンやタブレット端末などの情報処理装置によって実現することができ、情報端末は、たとえば、スマートフォンやタブレット端末、電子時計などの携帯型の情報処理装置によって実現することができる。以降の説明においては、電子装置１１０はスマートフォンであり、情報端末１２０は電子時計であるとして説明をおこなう。
【００３３】
（電子装置の構成）
電子装置の構成について説明する。
図１、図２、図４に示すように電子装置１１０は、金属材料や樹脂材料などによって形成される板状の筐体であるケース２００を有する。ケース２００の正面にディスプレイ２０１、タッチパッド２０２、マイク２０４とスピーカ２０７が配置される。ディスプレイ２０１が配置される面とは反対側の面（背面）に撮像素子２０５、発光素子２０６が配置される。ケース２００の側面には、操作キー２０３が配置される。また、ケース内部には上述の各電子部品を制御する制御回路４１１や電源である二次電池、記憶装置、振動素子４１４、アンテナ４１５、受信回路４１６などを有する。
【００３４】
ディスプレイ２０１は、ケース２００の正面側に設けられており、電子装置１１０の有する複数のアプリケーションの中から選択された機能に応じた各種の情報を表示する表示機器である。ディスプレイ２０１は、たとえば、液晶ディスプレイや有機ＥＬ（Ｅｌｅｃｔｒｏ−Ｌｕｍｉｎｅｓｃｅｎｃｅ）ディスプレイなどによってその機能を実現することができる。ディスプレイ２０１の表面にはタッチパッド２０２が配置される。どのような表示をおこなうかは制御回路４１１によって制御される。
【００３５】
タッチパッド２０２は、操作手段４１２の一つであり、ディスプレイ２０１における表示側の面に重ねて、または一体となって設けられ、押圧された位置に応じた信号を制御回路４１１に出力する。使用者はタッチパッド２０２の直感的な入力操作により電子装置１１０の情報を操作することができる。また、電子装置１１０は、操作手段４１２の別の例である操作キー２０３を備えている。操作キー２０３は、プッシュボタンなどの物理キーで構成することができ、ディスプレイ２０１の点灯または消灯の切り換えや、カーソル移動、音量調整、撮像素子の操作など、アプリケーションに応じた信号を制御回路４１１に出力する。
【００３６】
マイク２０４は、外部（電子装置１１０周辺）の音または音響信号を集音し、入力されたアナログデータである音または音響信号をアナログ／デジタル変換し、デジタル形式のデータを生成する。生成されたデータは制御回路４１１に向けて出力され対応する処理がおこなわれる。図２においては、ディスプレイ２０１が配置される面と同じ面であってディスプレイ２０１よりも下方側に設けられているが、配置場所はこれに限定されず他の面に配置されていてもよい。
【００３７】
スピーカ２０７は、電子装置１１０の各アプリケーションに応じて発生する入力信号に基づいた音声を外部（使用者）に向けて発生させる。たとえば、デジタル形式の音声データをデジタル／アナログ変換し、アナログ形式の音声データに基づいてボイスコイルに通電することにより音声を出力する。入力信号は制御回路４１１の動作に応じて生成される。
【００３８】
撮像素子２０５は、制御回路４１１によって駆動制御され、所定の入力操作がおこなわれた場合に撮像素子２０５に入力される外光に応じた画像データを制御回路４１１に出力する。制御回路４１１は、撮像素子２０５から出力される画像データをディスプレイ２０１に表示させたり、メモリに記憶したりする。マイク２０４は、アナログデータとして入力された音をアナログ／デジタル変換し、デジタル形式の音声データを生成し、生成した音声データを制御回路４１１に出力する。発光素子２０６は、制御回路４１１によって駆動制御され、点灯したり消灯したりする。
【００３９】
撮像素子２０５は、入射光を電気信号に変換して画像データ（撮像画像）を生成し、制御回路４１１に出力する。生成した撮像画像はディスプレイ２０１に表示することができる。撮像素子２０５は、ＣＣＤやＣＭＯＳなどのイメージセンサとレンズとで構成され、ケース２００の背面に設けられている。撮像素子２０５はディスプレイ２０１と同じ正面側に配置されてもよく、正面と背面の両面にそれぞれ配置され、電子装置１１０のアプリケーションに応じて任意の撮像素子２０５が選択されてもよい。
【００４０】
発光素子２０６は、光源であり、電子装置１１０の各アプリケーションに応じて発生する入力信号に基づいて発光または消灯をおこなう。また、制御回路４１１の出力に応じてデータ情報を含む発光パターンで点滅することにより光信号を発信することができる。発光素子２０６は、たとえば、特定波長領域の波長の光を発光するＬＥＤなどによってその機能を実現することができる。特に、赤色ＬＥＤ、緑色ＬＥＤ、青色ＬＥＤなどの互いに波長領域が異なる複数のＬＥＤを組み合わせた場合は、それぞれのＬＥＤの出力を調整することによって任意の波長や輝度によって発光することできる。発光素子２０６は、撮像素子２０５の近傍に設けられている。
【００４１】
振動素子４１４は、入力信号に応じて駆動し、振動を発生させることにより、振動または振動音を使用者に伝達する。振動素子４１４は、たとえば、偏心モータやリニア・バイブレータ、ピエゾ素子（圧電素子）などによってその機能を実現することができる。たとえば、振動素子４１４が偏心モータである場合に、制御回路４１１によって回転のタイミング、各回転時における回転の長さ、先の回転の終了時からつぎの回転までの間隔などが制御され、所定のパターンで回転することができる。
【００４２】
制御回路４１１は、電子装置１１０が有する複数のアプリケーションを制御し、また各アプリケーションに応じてディスプレイ２０１、操作手段４１２（タッチパッド２０２、操作キー２０３）、マイク２０４、スピーカ２０７、撮像素子２０５、発光素子２０６、振動素子４１４、受信回路４１６などの入出力を制御する。制御回路４１１は、ＣＰＵ（Ｃｅｎｔｒａｌ  Ｐｒｏｃｅｓｓｉｎｇ  Ｕｎｉｔ）やメモリなどによって構成される。制御回路４１１は、本発明にかかる第２の制御回路に相当する。
【００４３】
メモリは、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などによって構成され、各種アプリケーションのプログラムやデータを記憶する。本実施形態においては、制御回路４１１のメモリには、双方向通信システム１００の利用に際して用いる所定のアプリケーション（以下、適宜「双方向通信アプリケーション」という）がインストールされている。
【００４４】
ＣＰＵはメモリから対応するアプリケーションのプログラムやデータを読み込み、演算処理をおこない、必要に応じて出力結果をディスプレイ２０１やスピーカ２０７、発光素子２０６、振動素子４１４などに制御するための信号を出力する。具体的には、タッチパッド２０２や操作キー２０３から出力される信号に基づき、発光素子２０６を点灯、消灯あるいは点滅させたり、撮像素子２０５による撮像画像の生成をおこなう。
【００４５】
電子装置１１０が外部のネットワークに接続するためのネットワークインターフェースを備えている場合に、インターネットなどの外部ネットワークを介して、外部装置との間におけるデータの入出力を制御する。受信回路４１６は、アンテナ４１５によって受信された高周波信号を増幅し、高周波信号を一定の中間周波数に変換した後に増幅し、検波し、復調する。
【００４６】
（情報端末の構成）
つぎに、情報端末について説明する。図１、図３、図４に示すように情報端末１２０は、ケース３００を有し、ケース３００の内部に時刻表示部３０１、駆動回路４２２、制御回路４２１、受光素子３０３、音響素子３０４を備え、ケース３００の側面に、操作手段３０２を備える。
【００４７】
ケース３００は、開口を有する円筒状の筐体であり、開口の一方の側は、時刻表示部３０１を視認可能な風防で覆われ、開口の他方の側は蓋で覆われる。ケース３００や蓋は金属材料や樹脂材料などによって形成される。風防は光透過性のガラスやプラスチック材料で形成される。
【００４８】
時刻表示部３０１は、文字板３０１ａや、時針・分針・秒針などの指針３０１ｂを備え、ケース３００の内部のうち風防側に配置される。文字板３０１ａに対する指針３０１ｂの位置によって時刻や電子時計が有する機能に関する情報を表示する。文字板３０１ａには指針３０１ｂが指し示す位置を示すインデックスが設けられており、指針３０１ｂは文字板３０１ａの中心などにおいて文字板３０１ａに対して回転可能に軸支されている。
【００４９】
指針３０１ｂは、文字板３０１ａと蓋との間に配置される複数の輪列４２３のうちの一つに設けられた軸に取付けられており、輪列４２３の回転駆動に応じて回転する。詳細には、複数の輪列４２３はさらにステッピングモータ４２４と連結され、ステッピングモータ４２４は駆動回路４２２に電気的に接続される。駆動回路４２２は制御回路４２１によって制御され、ステッピングモータ４２４に対して駆動パルスを出力する。
【００５０】
ステッピングモータ４２４は、駆動回路４２２から出力される駆動パルスに応じて正転（右回り）または逆転（左回り）の回転動作をおこなう。指針３０１ｂは、所定の輪列４２３を介してステッピングモータ４２４の回転が伝達されることによって回転する。指針３０１ｂおよび輪列４２３によってステッピングモータ４２４に駆動される被駆動体が構成される。
【００５１】
時刻表示部３０１は、指針３０１ｂによって時刻をアナログ表示するものに限らず、たとえば、十進の整数によってデジタル表示する７セグメントディスプレイなどによってその機能を実現するようにしてもよい。
【００５２】
操作手段３０２は、ケース３００の側面に設けられたリューズ３０２ａや各種のプッシュボタン３０２ｂなどによって構成され、入力操作に応じた信号を制御回路４２１に出力する。リューズ３０２ａは、ケース３００の側面から突出する方向に１段または２段引き出すことができる。また、リューズ３０２ａは、軸心周りに回転可能に構成される。リューズ３０２ａを引く操作と、回転操作との組み合わせにより、たとえば、時刻表示部３０１が表示する時刻を調整するなどの情報端末１２０が有する機能に対して任意の操作をおこなうことができる。プッシュボタン３０２ｂは、操作キー２０３と同様の構成とすることができ、使用者による各種の操作に応じた信号を制御回路４２１に出力する。
【００５３】
受光素子３０３は、受光した光または光信号を、電圧値または電流値による電気信号に変換して、制御回路４２１に出力する。なお、これ以降においては、発電電圧に基づく電気信号を出力する構成として説明をおこなうこととする。
【００５４】
受光素子３０３は、たとえば、光起電力効果を利用して電気を発生させるソーラパネルなどによってその機能を実現することができる。図３に示すように、ソーラパネルである受光素子３０３は、文字板３０１ａの裏面側に配置される。このとき、文字板３０１ａはソーラパネルが受光できるように、光透過性部材で構成される。
【００５５】
なお、図３においては、ソーラパネルの全てを受光素子３０３として利用する例として説明をおこなったが、これに限定されるものではない。たとえば、ソーラパネルを複数のセルに分割した構成にし、この複数のセルのうちの一つを受光素子３０３として用いる構成としてもよい。また、ソーラパネルを配置した場合に、文字板３０１ａ側から入射する太陽光などの光によって発電した電力は、ＤＣ／ＤＣコンバータなどによって昇圧して二次電池に出力される構成としてもよい。
【００５６】
また、受光素子３０３は、ソーラパネルに代えて、たとえば、受光量に応じた電気信号を出力するフォトダイオードなどによってその機能を実現するようにしてもよい。さらに、ソーラパネルに加えて、たとえば、フォトダイオードなどによってその機能を実現される受光素子３０３を備えていてもよい。これらの受光素子３０３は入射光の波長を選択して受光できるように構成することができる。たとえば、所定の波長帯の光のみを通すフィルタを複数用意して、切り換えるようにしてもよいし、入射光を分光して波長成分ごとに電気信号として出力するような構成にしてもよい。また、受光感度（受光可能な波長帯）が異なる複数の受光素子を設けるようにしてもよい。
【００５７】
音響素子３０４は、情報端末１２０の機能に応じて発生する入力信号に基づいて外部に向けて音を発する。音には、所定パターンの報知音や音響信号が含まれ、どのような音を発するかは、制御回路４２１によって制御される。音響素子３０４は、たとえば、圧電振動板（圧電素子）を用いて形成される圧電ブザーなどによってその機能を実現することができる。圧電ブザーにおいて、圧電振動板は、電極が形成された圧電セラミックスと、黄銅やニッケルなどの金属板とを接着することによって構成されている。圧電振動板に電圧を印加すると、圧電セラミックスは伸張するのに対して、金属板は伸縮せずに屈曲（湾曲）する。圧電振動板に印加する電圧の向きを交互に変えることにより音波を発生させることができる。
【００５８】
音響素子３０４は、圧電ブザーに限るものではなく、たとえば、電磁石に電流を流して振動板を動かすことによって音を発する電磁ブザーなどによってその機能を実現するようにしてもよく、発信回路およびスピーカによって構成される電子ブザーなどによってその機能を実現するようにしてもよい。また、音響素子３０４として上述のステッピングモータ４２４を用いてもよい。この場合に、高周波信号で駆動した際に発生する駆動音や、ステッピングモータ４２４の駆動にともなう被駆動体の摩擦音や打撃音を利用することができる。また、音響素子３０４に振動モータを用いてもよく、この場合は振動音を利用することができる。
【００５９】
音響素子３０４によって発生可能な音の周波数帯は、制御回路４２１の出力信号に応じて可変にできる構成とすることができる。このとき、可聴域の一部としてもよいし、可聴域外の周波数帯を用いてもよい。また、ピーク周波数の異なる複数の音を合成した重音としてもよい。特に、可聴域外の周波数帯を用いることによって、通信環境によらずに通信することが可能であり、また使用者に気づかれることなく通信処理を完了することができる。
【００６０】
本発明の双方向通信システムにおいては、音響信号に用いる音の周波数帯は、電子装置１１０のマイク２０４が集音可能な周波数帯域の少なくとも一部と重なるように決定することが好ましく、音響信号に用いる音の周波数帯の選択および決定は、電子装置１１０との通信結果に応じて決定してもよいし、情報端末１２０の操作手段３０２の操作によって任意の周波数に変更できるようにしてもよい。
【００６１】
たとえば、音響素子３０４として圧電素子を使用する場合に、音響信号に用いる音調（音の周波数）は、圧電素子が効率よく発音可能な４ｋＨｚ〜８ｋＨｚの周波数帯を使用することができる。音響信号の出力波形は、正弦波に限定されず、正弦波に代えて、矩形波や三角波などを用いてもよい。たとえば、音響信号の出力波形として矩形波を用いる場合に、基本周波数に加えてＮ倍の周波数の高調波が発生する。しかしながら、周波数の変調範囲を最低出力周波数から、最低周波数の２倍以下の範囲（たとえば４ｋＨｚ〜７ｋＨｚ）にすることによって、高調波による誤認識を防ぐことができ、また、より単純な回路で実現できるようになる。
【００６２】
制御回路４２１は、たとえば、ＣＰＵ、ＲＯＭやＲＡＭなどによって構成されるメモリ、ＲＴＣ（Ｒｅａｌ  Ｔｉｍｅ  Ｃｌｏｃｋ）などを含んで構成されるマイクロコンピュータなどによってその機能を実現することができる。制御回路４２１は、本発明にかかる第１の制御回路に相当する。
【００６３】
メモリは、少なくとも一部が電源を供給しなくても記憶内容が消失しない不揮発性のメモリを用いることができる。メモリは、具体的には、たとえば、ＭＯＮＯＳ（Ｍｅｔａｌ  Ｏｘｉｄｅ  Ｎｉｔｒｉｄｅ  Ｏｘｉｄｅ）型メモリなどの不揮発性メモリを用いることができる。
【００６４】
ＣＰＵは、ＲＡＭをワークメモリとしてＣＰＵの処理対象となるデータを書き込みながら、ＲＯＭに格納された各種の制御プログラムに従って各種の情報処理をおこなう。ＲＴＣは、ＣＰＵに対して、情報端末１２０の内部での計時に使用されるクロック信号を出力する。ＣＰＵは、ＲＴＣが出力したクロック信号に基づいて内部時刻を計時する。上記の時刻表示部３０１は、ＣＰＵが計時する内部時刻を表示する。
【００６５】
情報端末１２０は、標準時刻を示す時刻情報を含む標準電波や、ＧＰＳ衛星から送信されて時刻情報を含むＧＰＳ電波、Ｂｌｕｅｔｏｏｔｈ（登録商標）による時刻情報を含む電波を受信し、受信した電波に基づいて時刻を修正する電波修正時計で構成することができる。この場合、情報端末１２０は、各々の目的に応じた電波を受信するアンテナ４２５や受信回路４２６をさらに備える。受信回路４２６は、高周波回路（ＲＦ回路）やデコード回路を含んで構成され、アンテナ４２５によって受信された電波を復号して得られるビット列（受信データ）を制御回路４２１に対して出力する。たとえば時刻情報を含む信号を受信した場合に、ＣＰＵは、計時している内部時刻を、受信した時刻情報に基づいて修正し、時刻表示部３０１において表示すべき時刻（表示時刻）を決定する。
【００６６】
上述したとおり、電子装置１１０は、外部へ送信信号を発信する手段として発光素子２０６を有し、外部からの信号を受信する手段としてマイク２０４を有する。また、情報端末１２０は、外部へ送信信号を発信する手段として音響素子３０４を有し、外部からの信号を受信する手段として受光素子３０３を有する。つまり、電子装置１１０から情報端末１２０への通信は、発光素子２０６と受光素子３０３とによる光信号の送受信をおこない、情報端末１２０から電子装置１１０への通信は、音響素子３０４とマイク２０４とによる音響信号の送受信によっておこなうことができる。これにより、電子装置１１０と情報端末１２０は双方向通信が可能な双方向通信システムを構成することができる。
【００６７】
（双方向通信システム１００の機能的構成）
つぎに、双方向通信システム１００の機能的構成について説明する。図５は、双方向通信システム１００の機能的構成を示すブロック図である。図５において、双方向通信システム１００の機能は、たとえば、電子装置１１０が備える各機能部と、情報端末１２０が備える各機能部などによって実現することができる。
【００６８】
（電子装置１１０の機能的構成の説明）
電子装置１１０の機能は、たとえば、発光部５１１と、発光制御部５１２と、タイムコード取得部５１３と、情報記憶部５１４と、遅延時間測定部５１５と、集音部５１６と、集音制御部５１７と、情報変換部５１８と、通信状況監視部５１９と、撮像部５２０と、基準位置判定部５２１と、識別情報特定部５２２と、通知部５２３と、無線電波通信部５２４などによって実現される。
【００６９】
発光部５１１は、たとえば、上述の発光素子２０６などによってその機能を実現することができ、発光制御部５１２によって制御されて発光する。発光部５１１による光は、照明光や使用者に向けての通知光、所定の発光パターンによる光信号に用いることができる。発光部５１１は、照明光や通知光のための発光素子と光信号用の発光素子とをそれぞれ用意してもよい。また、互いに発光波長領域の異なる複数の発光素子を一つのパッケージとし、入力信号に応じて任意の発光素子を発光させることによって、所望の発光波長による発光をおこなうようにしてもよい。
【００７０】
発光制御部５１２は、情報記憶部５１４に記憶されている情報や通信状況監視部５１９から出力される信号に基づいて、発光部５１１が発光する光の発光パターン、すなわち、発光部５１１の点灯（ＯＮ）タイミングや消灯（ＯＦＦ）タイミングを制御する。具体的に、発光制御部５１２は、照明光として機能させる場合は、情報記憶部５１４に記憶されている照明光に関する情報に基づいて、点灯信号または消灯信号を出力し、通知光として機能させる場合は、情報記憶部５１４に記憶されている通知の種類に応じた発光パターンに基づいた信号を出力し、光信号として機能させる場合は、情報記憶部５１４に記憶されている情報や通信状況監視部５１９から出力される信号に基づいて、通信先（情報端末１２０）が認識可能な発光パターンの信号を出力する。
【００７１】
また、発光制御部５１２は、通信状況監視部５１９から出力される信号に基づいて、すなわち、情報端末１２０との通信状況に応じて、発光部５１１が発光する光の発光パターンにかかる点滅速度を制御する。発光制御部５１２は、発光部５１１が発光する光の発光パターンにかかる点滅速度を制御することにより、送信速度を可変にし、通信環境を向上させることができる。また、発光波長や発光輝度を制御してもよい。発光パターンの発光波長や発光輝度を制御することによって、情報端末１２０の受光部５５１に対する感度を可変にすることができ、通信環境を向上させることができる。発光制御部５１２は、たとえば、制御回路４１１などによってその機能を実現することができる。
【００７２】
光信号は、たとえば、点灯を「１」、消灯を「０」として時間軸に対するビット信号として送付する。また、光信号は、点灯時における発光強度に閾値を設けて、「１」と「０」を区別してもよいし、複数の閾値を設けてｎ進数の信号としてもよい。また、光信号は、発光部５１１が任意の発光波長によって発光可能である場合、発光波長に応じて上述のビット数を割り振ってもよい。
【００７３】
また、光信号は、振幅変調（ＡＭ：Ａｍｐｌｉｔｕｄｅ  Ｍｏｄｕｌａｔｉｏｎ）、周波数変調（ＦＭ：Ｆｒｅｑｕｅｎｃｙ  Ｍｏｄｕｌａｔｉｏｎ）、位相変調（ＰＭ：Ｐｈａｓｅ  Ｍｏｄｕｌａｔｉｏｎ）など公知の各種の変調方式を用いて光変調をおこなうことができる。また、周波数分割多重化（ＦＤＭ：Ｆｒｅｑｕｅｎｃｙ  Ｄｉｖｉｓｉｏｎ  Ｍｕｌｔｉｐｌｅｘｉｎｇ）技術を用いて、複数の周波数の光信号を多重化（合波）するようにしてもよい。これにより、発光部５１１は、情報端末１２０へ光信号を送信することができる。
【００７４】
光信号として送信する情報としては、たとえば、時刻情報（カレンダー情報、閏秒情報、ＧＰＳロールナンバー、ＧＰＳウィークナンバーを含む）、位置情報、都市情報、歩度修正、アラーム設定時刻情報、ファームウェアのアップデート情報や、通信先である情報端末１２０が有する前述の各種情報または識別情報である型式情報または通信状況の問合せなどが挙げられる。発光制御部５１２は、情報記憶部５１４や通信状況監視部５１９からの出力に応じて、光信号として送信する情報を設定し、発光部５１１に出力する。
【００７５】
時刻情報の送信に関して、光信号は電波修正時計が受信する標準電波やＧＰＳ電波と同様のタイムコード形式、または当該タイムコードを模した形式による発光パターンとすることができる。タイムコードを模した形式とは、たとえば、データ信号はタイムコードのうち、双方向通信として必要なデータのみを取り出した情報に関する信号としたり、時間軸に対して圧縮して高速化した信号とすることができる。
【００７６】
これにより、情報端末１２０が電波修正時計である場合、受信した電波信号の処理と同じシステムを利用することができる。特にタイムコードを模した形式で処理することにより、電波受信時よりも高速に時刻情報を処理することができる。また、これとは反対に、時間軸を伸長する、すなわち時間軸における速度を下げる処理をすることによって、通信困難な環境でも通信を可能とすることができる。
【００７７】
なお、タイムコード形式が複数ある場合、対応しているタイムコードのうち、最も早い周期で受信できるもの（たとえば、中国局におけるタイムコードなど）を使用することによって、光通信の所要時間を短縮するようにしてもよい。
【００７８】
また、時刻情報に含まれる各時刻や日付は、電子装置１１０が計時する時刻や日時であってもよく、あるいは電子装置１１０が位置するタイムゾーンの標準時刻であってもよく、使用者が任意に指定した地域の時刻であってもよい。また、発光制御部５１２は、時刻情報に、送信すべき時刻情報を生成するために処理するにかかった時間を遅延時間として付与してもよい。遅延時間は後述する遅延時間測定部５１５によって測定される。
【００７９】
また、時刻情報は、通信先である情報端末１２０の内部時刻または指針３０１ｂの位置に応じて、差分の移動量を送信するようにしてもよい。この場合、電子装置１１０は、あらかじめ情報端末１２０の内部時刻または指針３０１ｂの位置を取得する必要があるが、先に時刻情報の問合せ信号を送信して得られた応答信号や、後述する撮像部５２０による指針３０１ｂの撮像画像から求めることができる。
【００８０】
情報記憶部５１４は、たとえば、電子装置１１０が備えるマイクロコンピュータのメモリなどによってその機能を実現することができる。情報記憶部５１４は、時刻情報（カレンダー情報、閏秒情報、ＧＰＳロールナンバー、ＧＰＳウィークナンバーを含む）、位置情報、都市情報、歩度修正情報、アラーム設定時刻、ファームウェアのアップデート情報、電子装置１１０や情報端末１２０の識別情報、各種処理に要する遅延時間情報、情報端末１２０の指針３０１ｂの位置情報を記憶する。
【００８１】
また、情報記憶部５１４は、電子装置１１０や情報端末１２０の識別情報である型式情報ごとに最適化された発光部５１１の制御情報を記憶する。この制御情報には、電子装置１１０の発光素子２０６および撮像素子２０５の配置位置や、マイク２０４の集音可能な周波数帯に関する情報、光信号に使用する発光波長、発光輝度、発光周期、送信信号パターンや、情報端末１２０の受光素子３０３の配置位置や、受光可能な波長帯、音響素子３０４の配置位置や音響素子３０４が使用する音響信号である発音パターンなどが含まれる。発音パターンは、音の周波数、音の発生タイミング、音の発生回数、音の長さなどによって規定される。なお、これらの各種情報は、電子装置１１０や情報端末１２０の識別情報ごとに関連づけたデータベースとして記憶してもよい。
【００８２】
時刻情報は、タイムコード取得部５１３によって取得されたタイムコードを記憶してもよい。電子装置１１０や情報端末１２０の識別情報は、上記の双方向通信アプリケーションのインストールに際して、当該双方向通信アプリケーションとともにダウンロードされ記憶される。
【００８３】
さらに、情報記憶部５１４は、情報端末１２０の識別情報ごとに、または電子装置１１０と情報端末１２０とのそれぞれの識別情報を組み合わせて、当該識別情報によって特定される情報端末１２０の外形に沿ったガイド枠を示す画像情報を記憶してもよい。ガイド枠を示す画像情報は、電子装置１１０の発光素子２０６と情報端末１２０の受光素子３０３との位置を案内し、通信環境を最適化するために用いられる。位置合わせについては後述する。
【００８４】
タイムコード取得部５１３は、時刻情報を符号化したタイムコードを取得し、情報記憶部５１４に出力する。タイムコードが示す時刻情報は、電子装置１１０が計時する時刻に基づいて取得される。また、電子装置１１０がＧＰＳ電波の受信機能を搭載している場合、タイムコードをＧＰＳ電波に含まれる時刻情報に基づいて取得することができる。また、タイムコードは、ＮＴＰ（Ｎｅｔｗｏｒｋ  Ｔｉｍｅ  Ｐｒｏｔｏｃｏｌ）を利用して、インターネット接続により取得することができる。タイムコード取得部５１３は、たとえば、制御回路４１１、アンテナ４１５、受信回路４１６などによってその機能を実現することができる。
【００８５】
遅延時間測定部５１５は、電子装置１１０から送信した信号に基づいて情報端末１２０がおこなう信号処理の結果が情報端末１２０に反映されるまでの遅延時間を測定する。遅延時間測定部５１５は、具体的には、たとえば、カウンタを備え、そのカウンタを用いて、時刻情報の送信にかかる処理が要する時間を遅延時間としてカウントする。遅延時間は、情報端末１２０が電子装置１１０へ送信する音響信号に基づいて設定するようにしてもよい。遅延時間測定部５１５は、たとえば、制御回路４１１などによってその機能を実現することができる。
【００８６】
集音部５１６は、集音制御部５１７によって制御されて、情報端末１２０が発生する音を集音する。集音部５１６は、集音した音を示すアナログの電気信号（アナログデータ）を情報変換部５１８に出力する。集音部５１６が集音可能な周波数帯は、音響素子３０４が発音可能な周波数帯の少なくとも一部が重なるように設定される。集音部５１６は、たとえば、マイク２０４などによってその機能を実現することができる。
【００８７】
集音制御部５１７は、集音部５１６による集音の開始または停止を制御する。集音制御部５１７は、たとえば、制御回路４１１などによってその機能を実現することができる。
【００８８】
情報変換部５１８は、集音部５１６から出力されたアナログデータを、アナログ／デジタル変換し、デジタルデータに含まれる情報を生成（取得）する。情報変換部５１８は、具体的には、たとえば、アナログデータを一定の単位時間で区切り、単位時間ごとの信号レベルを抽出する標本化（サンプリング）をおこない、サンプリングした信号レベルを所定の段階に当てはめて整数値に置き換える量子化をおこなった後、量子化した整数値を「０」と「１」の２進数のデジタルデータに変換し、データ信号に応じた処理をおこなって情報を取得する。
【００８９】
情報変換部５１８は、取得した情報に応じて、情報記憶部５１４や、識別情報特定部５２２、通知部５２３に出力する。また、デジタルデータは、通信状況を確認するために通信状況監視部５１９に出力するようにしてもよい。また、デジタルデータは、双方向通信時に発生する遅延時間を測定するために遅延時間測定部５１５に出力するようにしてもよい。情報変換部５１８は、たとえば、制御回路４１１などによってその機能を実現することができる。
【００９０】
情報変換部５１８は、集音部５１６が音響信号を集音する場合、音響信号以外のノイズ成分を除去する目的で、ローパスフィルタやハイパスフィルタ、バンドパスフィルタを有してもよい。また、ＦＦＴアナライザなどの周波数解析部を有して、所望の音響信号の周波数帯のみを区別してもよい。
【００９１】
撮像部５２０は、情報端末１２０を撮像し、撮像した画像（撮像画像）データを、識別情報特定部５２２、基準位置判定部５２１、通知部５２３に出力する。撮像部５２０は、たとえば、撮像素子２０５や制御回路４１１などによってその機能を実現することができる。
【００９２】
識別情報特定部５２２は、撮像部５２０から出力される撮像画像や情報変換部５１８から出力されるデータ（すなわち、情報端末１２０の音響信号に基づくデータ）から、情報端末１２０の識別情報を特定する。識別情報特定部５２２は、たとえば、制御回路４１１などによってその機能を実現することができる。
【００９３】
たとえば、撮像部５２０から出力された撮像画像に基づいて、情報端末１２０の識別情報を特定する場合、識別情報特定部５２２は、撮像画像データと情報記憶部５１４に記憶された情報端末１２０ごとの識別情報とを関連づけたデータベースとを比較（マッチング）をおこなうことによって情報端末１２０の識別情報を特定する。マッチングは、たとえば、撮像画像から特徴点を抽出し、あらかじめ記憶された情報端末１２０の画像から特徴点を抽出し、各特徴点の周囲の領域における特徴量を計算することによっておこなうことができる。特徴点は、ケース外観、文字板外観、時字形状、指針形状などに基づいて抽出してもよい。
【００９４】
また、たとえば、情報変換部５１８から出力されたデジタルデータ、すなわち、集音部５１６が集音した音響信号に基づいて情報端末１２０の識別情報を特定する場合、デジタルデータと情報記憶部５１４に記憶された識別情報のデータベース（デジタルデータ）とを照合することによって情報端末１２０の識別情報を特定する。
【００９５】
基準位置判定部５２１は、撮像部５２０による撮像画像データと情報記憶部５１４に記憶された識別情報とに基づいて、電子装置１１０と情報端末１２０とが通信可能な位置に配置されているか否かを判定する。基準位置判定部５２１は、具体的には、通信対象となる情報端末１２０の識別情報から情報記憶部５１４に記憶された該当する識別情報に含まれる受光素子３０３の位置と電子装置１１０の発光素子２０６の位置が対向し、光信号をおこなうことができる位置となっているか、また、電子装置１１０と情報端末１２０間に光信号を阻害する障害物などが配置されていないかを判定する。電子装置１１０と情報端末１２０とが規定の位置関係になったとき、すなわち通信環境が整ったと判断されたときは、情報記憶部５１４にその旨を記憶するように出力する。また、発光制御部５１２に直接出力してもよい。
【００９６】
また、基準位置判定部５２１は、指針位置を確認することにより電子装置１１０と情報端末１２０とが通信可能な位置に配置されているか否かを判定するようにしてもよい。基準位置判定部５２１は、具体的には、撮像部５２０から出力された撮像画像データに基づいて特定される電子時計の現在の指針３０１ｂの位置と、情報記憶部５１４に記憶されている該当する型式情報に基づいて、基準位置と現在の指針３０１ｂの位置との差分を出力する。
【００９７】
通知部５２３は、情報変換部５１８、識別情報特定部５２２からの情報に基づいて、使用者に通知すべき情報の通知をおこなう。また、通知部５２３は、撮像部５２０が撮像した画像データを表示する。通知部５２３は、具体的には、たとえば、制御回路４１１、ディスプレイ２０１、発光素子２０４、スピーカ２０７、振動素子４１４などによってその機能を実現することができる。したがって、通知部５２３による通知の手段としては、ディスプレイ２０１による表示や、発光素子２０４による発光、スピーカ２０７による音、振動素子４１４による振動を用いることができる。
【００９８】
電子装置１１０と情報端末１２０との基準位置判定をおこなうにあたっては、たとえば、ディスプレイ２０１に撮像画像と、情報記憶部５１４に記憶された識別情報に基づく規定位置を表示し、発光素子２０６と受光素子３０３とを適正な位置関係に案内するように使用者に促すことができる。また、基準位置判定にあたっては、発光素子２０６による発光パターンや、スピーカ２０７による音声を使用して、適正な位置関係に案内してもよい。ディスプレイ２０１を用いた電子装置１１０と情報端末１２０の位置の規定方法についての詳細な説明は後述する。
【００９９】
無線電波通信部５２４は、たとえば、アンテナや通信モジュールなどによってその機能を実現することができる。より具体的には、無線電波通信部５２４は、たとえば、Ｂｌｕｅｔｏｏｔｈ（登録商標）やＮＦＣ（Ｎｅａｒ  Ｆｉｅｌｄ  Ｃｏｍｍｕｎｉｃａｔｉｏｎ）などの通信方式を利用した通信により、情報端末１２０と通信をおこなうようにしてもよい。
【０１００】
通信状況監視部５１９は、電子装置１１０と情報端末１２０との間の通信状況が良好であるか否かを判定する。通信状況監視部５１９は、具体的には、たとえば、集音部５１６が集音した音響信号のデジタルデータと情報記憶部５１４において記憶されている音の発音パターンを参照して、通信状況が不良であるとする旨の音の発音パターンである場合には、通信状況が不良であるとする情報を出力する。
【０１０１】
また、通信状況監視部５１９は、音響信号は集音できているものの音の強度が所定の閾値以下（音量が小さい）である場合や、所定期間の間に集音部５１６が音響信号を集音できなかった場合にも、通信状況が不良であるとする情報を出力するようにしてもよい。通信状況監視部５１９は、具体的には、たとえば、制御回路４１１などによってその機能を実現することができる。
【０１０２】
また、通信状況監視部５１９は、無線電波通信部５２４における無線電波の受信状態に基づいて、通信状況を監視してもよい。無線通信にＢｌｕｅｔｏｏｔｈを利用する場合に、たとえば、過去にペアリングをおこなった情報端末１２０との接続が確立されているか否かを監視することによって、通信状況が良好か否かを判定するようにしてもよい。通信状況監視部５１９は、無線通信に、たとえばＮＦＣを利用する場合に、ＮＦＣ対応デバイスである情報端末１２０が所定距離範囲内に位置するか否かを監視することによって、通信状況が良好か否かを判定するようにしてもよい。ここで、情報端末１２０が所定距離範囲内に位置するか否かは、電子装置１１０における誘導電流の発生の有無などに基づいて判断することができる。
【０１０３】
（情報端末１２０の機能的構成の説明）
情報端末１２０の機能は、たとえば、受光部５５１と、情報変換部５５２と、受光制御部５５３と、情報記憶部５５４と、タイムコード取得部５５５と、遅延時間測定部５５６と、発音制御部５５７と、発音部５５８と、通信状況監視部５５９と、無線電波通信部５６０などによって実現される。
【０１０４】
受光部５５１は、電子装置１１０の発光素子２０６が発光した光を受光することによって、電子装置１１０から光信号を受信し、光電変換されたアナログの電気信号（アナログデータ）を、情報変換部５５２に出力する。受光素子３０３などによってその機能を実現することができる。
【０１０５】
情報変換部５５２は、アナログデータをデジタルデータに変換する。情報変換部５５２は、具体的には、たとえば、アナログ／デジタル変換器で構成される。
【０１０６】
受光制御部５５３は、受光部５５１において受光された光が示すアナログデータを情報変換部５５２に出力するタイミング（期間）を制御する。受光制御部５５３は、たとえば、情報端末１２０に対する所定の操作がおこなわれた場合に、当該所定の操作がおこなわれてから所定時間、あるいは、当該所定の操作がおこなわれた後、受光部５５１において所定の発光パターンの光が受光されるまでの間、受光部５５１において受光された光が示すアナログデータを情報変換部５５２に出力するように制御する。
【０１０７】
あるいは、受光制御部５５３は、たとえば、受光部５５１において受光される光が示すアナログデータを常時監視し、当該アナログデータが所定のパターンを示した場合に、当該所定のパターンのアナログデータを示す光を受光してから所定時間、あるいは、当該所定のパターンのアナログデータを示す光を受光した後、受光部５５１において別の所定の発光パターンの光が受光されるまでの間、受光部５５１において受光された光が示すアナログデータを情報変換部５５２に出力するように制御するようにしてもよい。受光制御部５５３は、具体的には、たとえば、制御回路４２１などによってその機能を実現することができる。
【０１０８】
受光部５５１において受光される光が示すアナログデータに基づいて、当該アナログデータを情報変換部５５２に出力するタイミング（期間）を制御することにより、情報端末１２０に対する使用者の操作を介することなく、電子装置１１０との双方向通信を開始することができる。受光部５５１は、具体的には、たとえば、ソーラパネルなどの受光素子３０３などによってその機能を実現することができる。
【０１０９】
情報記憶部５５４は、内部時刻情報（カレンダー情報、閏秒情報、ＧＰＳロールナンバー、ＧＰＳウィークナンバーを含む）、指針３０１ｂの位置情報、都市情報、歩度修正情報、アラーム設定時刻、ファームウェア情報、識別情報（型式情報）、各種処理に要する遅延時間情報などを記憶する。また、情報記憶部５５４は、電子装置１１０の光信号に対応するデータベースを記憶する。データベースは、双方向通信によっておこなわれる処理内容に対応したビット信号（デジタルデータ）のテーブルで構成することができる。また、通信状況が不良である場合などに、光信号の使用波長帯や輝度、周波数などを変更するように要求する要求情報を記憶する。時刻情報は、タイムコード取得部５５５によって取得されたタイムコードを記憶してもよい。情報記憶部５５４は、具体的には、たとえば、情報端末１２０が備えるマイクロコンピュータのメモリなどによってその機能を実現することができる。
【０１１０】
また、情報記憶部５５４は、情報端末１２０の識別情報ごとに、当該識別情報によって特定される情報端末１２０の外形に沿ったガイド枠を示す画像情報を記憶するようにしてもよい。ガイド枠を示す画像情報は、電子装置１１０の発光素子２０６と情報端末１２０の受光素子３０３との位置を案内し、通信環境を最適化するために、電子装置１１０に提供される情報として用いられる。位置合わせについての詳細な説明については、後述する。
【０１１１】
タイムコード取得部５５５は、時刻情報を符号化したタイムコードを取得し、情報記憶部５５４に出力する。タイムコードが示す時刻情報は、情報端末１２０が計時する内部時刻に基づいて取得される。また、タイムコード取得部５５５は、電子装置１１０が標準電波やＧＰＳ電波などによる信号を復号し、復号した信号に基づいて時刻情報を取得できる受信機能を搭載している場合、タイムコードをこれらの電波に含まれる時刻情報に基づいて取得することができる。
【０１１２】
また、タイムコード取得部５５５は、電子装置１１０などからのタイムコード情報を含む光信号を受信して、受信した光信号を復号してタイムコードを取得することもできる。このとき、光信号によって送信されるタイムコード情報を含むデータ信号のアルゴリズムを、標準電波やＧＰＳ電波に用いられるタイムコード情報のアルゴリズムと同一のアルゴリズムにすることにより、復号処理を共通化するようにしてもよい。タイムコード取得部５５５は、具体的には、たとえば、制御回路４１１、アンテナ４２５、受信回路４２６などによってその機能を実現することができる。
【０１１３】
タイムコード取得部５５５によって取得された情報と光信号との遅延時間を測定することにより、電子装置１１０が何らかの原因により正確な時刻情報を取得できない場合に、情報端末１２０から電子装置１１０に対して時刻情報を送信し、電子装置１１０の時刻を正確な時刻に修正するようにしてもよい。
【０１１４】
遅延時間測定部５５６は、電子装置１１０から送信された信号に基づいて情報端末１２０がおこなう信号処理の結果が情報端末１２０に反映されるまでの遅延時間を測定する。遅延時間測定部５５６は、カウンタを備え、時刻情報の送信にかかる処理が要する時間を遅延時間としてカウントする。カウントしたデータは情報記憶部５５４に出力される。遅延時間測定部５５６は、具体的には、たとえば、制御回路４２１などによってその機能を実現することができる。
【０１１５】
発音部５５８は、発音制御部５５７によって制御されて発音する。発音部５５８は、具体的には、たとえば、上述の音響素子３０３などによってその機能を実現することができる。発音部５５８による音は、使用者に向けての報知音や所定の発音パターンによる音響信号に用いることができる。発音部５５８は、報知音のための音響素子と、音響信号用の音響素子とをそれぞれ別々に設けてもよい。また、発音可能な周波数帯の広い音響素子を用いて、入力信号に応じて任意の周波数帯の発音をおこなうようにしてもよい。
【０１１６】
発音制御部５５７は、情報記憶部５５４に記憶されている情報や通信状況監視部５５９から出力される信号に基づいて、発音部５５８が発生する発音パターンを制御する。発音制御部５５７は、たとえば、発音部５５８が発する音を報知音として機能させる場合は、情報記憶部５５４に記憶されている通知の種類に応じた発音パターンに基づいた信号を出力する。また、発音制御部５５７は、たとえば、発音部５５８が発する音を音響信号として機能させる場合は、情報記憶部５１４に記憶されている情報や通信状況監視部５１９から出力される信号に基づいて、通信先（情報端末１２０）が認識可能な発音パターンの信号を出力する。
【０１１７】
ここで、発音部５５８が発生する音の周波数帯は、電子装置１１０のマイク２０４が集音可能な帯域である必要がある。したがって、発音制御部５５７は、あらかじめ光信号などによりマイク２０４の集音可能な周波数帯を取得しておいて、取得した周波数帯の範囲となる音響信号を出力するとよい。
【０１１８】
また、情報端末１２０がアラームなどの報知音を発生する機能を有する場合に、発音制御部５５７は、電子装置１１０へ音響信号を送信中は、報知音を発生する機能を無効にするとよい。これにより、音響信号にノイズ成分が混ざることを低減することができる。また、発音制御部５５７は、発音部５５８が発生する音の符号化を単純な発音回数などのような、簡単で人間でも理解できる形式にするよう制御してもよい。
【０１１９】
また、発音制御部５５７は、報知音の音の周波数と、音響信号に使用する音の周波数とを異なる周波数となるように制御してもよい。たとえば、報知音の音の周波数帯を音響信号に使用する音の周波数より高く設定するようにしてもよい。または、報知音の音の周波数帯を使用者（人間）に聞き取りやすいとされる周波数帯である２ｋＨｚ〜４ｋＨｚに設定する。一方、音響信号の音の周波数を、報知音の音の周波数帯（２ｋＨｚ〜４ｋＨｚ）よりも低い周波数帯に設定するか、あるいは、高い周波数帯に設定するようにしてもよい。このように、報知音の音の周波数と、音響信号に使用する音の周波数とを異なる周波数とすることによって、音響信号の送信中であっても、アラーム機能などによる報知音を鳴らすことができる。
【０１２０】
また、発音制御部５５７は、電子装置１１０との通信状況、すなわち、通信状況監視部５１９から出力される信号に基づいて、発音部５５８が発音する音響信号の時間長、音調、音量の少なくとも一つを可変して調整するように制御する。発音制御部５５７は、たとえば、通信状況監視部５１９による監視の結果、電子装置１１０との通信状況が安定していないと判断される場合は、発音部５５８が発音する音響信号の時間長を、所定の発音パターンで発生する音響信号の時間長よりも時間軸が長くなるように調整する。この場合、音の発生回数は同じで、発音パターンに含まれる各音の長さおよび音と音との間の長さが長くなるように変更される。同様に音調（音の周波数）を高くしてもよいし、音量を大きくしてもよいし、音の位相を変更してもよい。または、これら４つのうちのいずれかどうしを組み合わせて、最適なレベルに調整するようにしてもよい。
【０１２１】
これにより、電子装置１１０は、取得した音響信号の認識率を向上させることができ、通信環境を向上させることができる。発音制御部５５７は、具体的には、たとえば、制御回路４２１によって実現することができる。本発明における報知処理部は、発音制御部５５７によってその機能を実現するようにしてもよい。
【０１２２】
音響信号は、たとえば、発音時間を「１」、無音時間を「０」として時間軸に対するビット信号として送付される。また、発音時における音量に閾値を設けて「１」と「０」を区別してもよいし、複数の閾値を設けてｎ進数の信号としてもよい。また、発音部５５８が任意の周波数によって発音可能である場合は、発音周波数に応じて上述のビット数を割り振るようにしてもよい。
【０１２３】
また、音響信号を、振幅変調（ＡＭ：Ａｍｐｌｉｔｕｄｅ  Ｍｏｄｕｌａｔｉｏｎ）、周波数変調（ＦＭ：Ｆｒｅｑｕｅｎｃｙ  Ｍｏｄｕｌａｔｉｏｎ）、位相変調（ＰＭ：Ｐｈａｓｅ  Ｍｏｄｕｌａｔｉｏｎ）など公知の各種の変調方式を用いて変調するようにしてもよい。さらに、音響信号を、周波数分割多重化（ＦＤＭ：Ｆｒｅｑｕｅｎｃｙ  Ｄｉｖｉｓｉｏｎ  Ｍｕｌｔｉｐｌｅｘｉｎｇ）技術などを用いて、多重化するようにしてもよい。
【０１２４】
このように、発音制御部５５７の制御によって、発音部５５８からの発音が符号化されることにより、外部装置（電子装置１１０）へ音響信号を送信することができる。さらに音響信号には、エラー検出訂正信号を付与するようにしてもよい。エラー検出訂正信号についての詳細な説明は省略するが、公知の音響通信の手法を利用することで実現することができる。
【０１２５】
音響信号として送信する情報としては、たとえば、情報端末１２０が有する各種の情報（内部時刻情報、識別情報、指針３０１ｂの位置情報、都市情報、歩度修正、アラーム設定時刻情報、充電量、ファームウェアのバージョン情報）や、受信の成功／失敗に関する情報や、通信状況を示す情報、光信号の変更を要求するための要求信号などが挙げられる。発音制御部５５７は、情報記憶部５５４や通信状況監視部５５９からの出力に応じて、上述の種類の中から、音響信号として送信する最適な情報を設定し、設定した情報を音響信号として発音部５５８に出力する。
【０１２６】
時刻情報の送信に関して、音響信号を、光信号のときと同様に電波修正時計が受信する標準電波やＧＰＳ電波と同様のタイムコード形式、または当該タイムコードを模した形式による発音パターンとすることができる。
【０１２７】
また、発音制御部５５７は、時刻情報に、送信すべき時刻情報を生成するために処理するにかかった時間を遅延時間として付与するようにしてもよい。遅延時間については、上述した光信号のときと同様であるので、詳細な説明については省略する。
【０１２８】
また、受光部５５１において受光したアナログの電気信号をそのまま電子装置１１０への応答信号として使うようにしてもよい。その場合には、受光部５５１が取得したアナログデータを、そのまま発音制御部５５７に入力することができるような構成としてもよい。
【０１２９】
無線電波通信部５６０は、電子装置１１０との通信をおこなう。無線電波通信部５６０は、具体的には、たとえば、アンテナや通信モジュールによってその機能を実現することができる。より具体的には、無線電波通信部５６０は、たとえば、Ｂｌｕｅｔｏｏｔｈ（登録商標）やＮＦＣ（Ｎｅａｒ  Ｆｉｅｌｄ  Ｃｏｍｍｕｎｉｃａｔｉｏｎ）を利用した通信により、電子装置１１０と通信をおこなうことができる。
【０１３０】
通信状況監視部５５９は、電子装置１１０と情報端末１２０との通信状況が良好であるか否かを判定する。通信状況監視部５５９は、受光部５５１が受光した光信号のデジタルデータと情報記憶部５５４において記憶されている発光パターンのデータベースを参照して、通信状況が不良であるとする旨の音の発光パターンである場合には、通信状況が不良であるとする情報を発音制御部５５７に出力する。
【０１３１】
また、通信状況監視部５５９は、光信号は受光できているものの光の強度が所定の閾値以下（発電量が小さい）である場合や、所定期間の間に受光部５５１が光信号を受光できなかった場合にも、通信状況が不良であるとする情報を出力する。通信状況監視部５５９は、具体的には、たとえば、制御回路４２１によってその機能を実現することができる。
【０１３２】
また、通信状況監視部５５９は、無線電波通信部５６０における無線電波の受信状態に基づいて、通信状況を監視するようにしてもよい。通信状況監視部５５９は、無線通信にＢｌｕｅｔｏｏｔｈ（登録商標）を利用する場合、たとえば、過去にペアリングをおこなった電子装置１１０との接続が確立されているか否かを監視することによって、通信状況が良好か否かを判定するようにしてもよい。また、通信状況監視部５５９は、無線通信にＮＦＣを利用する場合、ＮＦＣ対応デバイスである電子装置１１０が所定距離範囲内に位置するか否かを監視することによって、通信状況が良好か否かを判定するようにしてもよい。電子装置１１０が所定距離範囲内に位置するか否かは、情報端末１２０における誘導電流の発生の有無によって判断することができる。
【０１３３】
（双方向通信システム１００の処理手順１）
つぎに、双方向通信システム１００の処理手順（処理手順１）について、図６および図７Ａを用いて説明する。図６は、双方向通信システム１００における通信方法を示す説明図である。また、図７Ａは、双方向通信システム１００の処理手順（処理手順１）を示す説明図である。図７Ａにおいては、電子装置１１０および情報端末１２０がおこなう各処理、および、各処理どうしのタイミングを示している。図７Ａにおいて、左側が電子装置１１０の処理手順であり、右側が情報端末１２０の処理手順である。
【０１３４】
なお、図７Ａにおいては、双方向通信環境の確認からデータのやり取りをおこなう一般的な処理手順の説明の一例としてタイムコードを送信する例で説明をおこなう。したがって、双方向通信システム１００における処理手順は、タイムコードの送信の場合に限定されるものではなく、その他の通信の場合であってもよい。
【０１３５】
事前準備として、電子装置１１０と情報端末１２０との双方向通信をおこなう際には、図６に示すように、電子装置１１０の背面と情報端末１２０とを対向させる。
【０１３６】
図７Ａにおいて、まず、電子装置１１０は、所定の入力操作を受け付けた場合に通信モードをＯＮにする（ステップＳ７１１）。
【０１３７】
そして、電子装置１１０は、情報端末１２０との通信環境の確認するための光信号を送信する（ステップＳ７１２）。この光信号は、ビット信号としてもよいし、たとえば、発光素子２０６を最大輝度で連続発光させるなど、所定輝度で所定期間だけ発光させてもよい。
【０１３８】
電子装置１１０は、ステップＳ７１２において送信した確認信号に応じて情報端末１２０から送信される応答信号を受信するまで待機する（ステップＳ７１３）。このとき電子装置１１０は、確認信号を送信してからの時間をカウントし、所定期間内に応答信号が受信できなかった場合は、当該所定期間経過後に、確認信号を再送信するようにしてもよい。
【０１３９】
一方、情報端末１２０は、たとえば、リューズ３０２ａや各種のプッシュボタン３０２ｂなどによってその機能が実現される操作手段４１２に対する所定の入力操作を受け付けた場合に通信モードをＯＮにする（ステップＳ７２１）。
【０１４０】
そして、情報端末１２０は、電子装置１１０が上記のステップＳ７１２の処理をおこなうことにより当該電子装置１１０から送信される、通信環境の確認信号を受信するまで待機する（ステップＳ７２２）。
【０１４１】
ここで、情報端末１２０は、常に通信モードがＯＮの状態であってもよい。情報端末１２０は、電子装置１１０による所定の光信号（たとえば、所定の点滅パターンによる信号）が、受光素子３０３によって検知されるまで、低消費電力モードなどで待機するように制御され、ウェイクアップ信号である所定の光信号が検知された場合に、低消費電力モードからステップＳ７２２の通信環境の確認信号を待機する状態に自動的に遷移するようにしてもよい。また、上述の所定の光信号は、ステップＳ７１２による確認信号を兼ねていてもよい。これにより、使用者が情報端末１２０を操作することなく、双方向通信をおこなうことができる。
【０１４２】
情報端末１２０は、電子装置１１０から通信環境の確認信号を受信した場合、受信された確認信号に基づいて通信環境の確認をおこなう（ステップＳ７２３）。情報端末１２０は、たとえば、光信号がビット信号である場合に、正しくデータが受信できていたか否かを判断するようにしてもよい。また、情報端末１２０は、光信号が所定輝度による連続発光である場合に、受光素子３０３による受光量が所定の閾値を超えているか否かを判断するようにしてもよい。
【０１４３】
また、ステップＳ７２３においては、たとえば、音響素子３０４が発生させる音のうち電子装置１１０との通信にかかる音以外の音を発生する機能を無効にする。具体的には、たとえば、アラームの設定などを無効にする処理をおこなうようにしてもよい。この処理はステップＳ７２１の時点でおこなってもよい。
【０１４４】
つぎに、情報端末１２０は、電子装置１１０に対して、受信側（電子装置１１０側）環境が整った旨の信号を送信する（ステップＳ７２４）。ステップＳ７２４においては、音響素子３０４に通電し、当該音響素子３０４から所定の発音パターンの音を発生させることによって、受信側環境が整った旨の信号を送信する。上述のように、電子装置１１０は、受信側環境が整った旨の信号を受信すると、情報端末１２０に対して情報信号を送信する。
【０１４５】
なお、受信環境が整っていない場合、特に光信号が正しく受光できないと判断される場合は、情報端末１２０は、電子装置１１０に対して、受信感度がよくない旨の音響信号を送信してもよい。
【０１４６】
また、情報端末１２０は、電子装置１１０に対して、情報端末１２０の識別情報を送信して、電子装置１１０が情報端末１２０の型式に合う通信方法をとるように促す処理をおこなってもよい。そして、電子装置１１０は、情報端末１２０からの応答信号（音響信号）に応じて、確認信号（光信号）の発光強度を強めたり、発光波長帯を変更したり、光信号の点滅速度を遅くまたは速くしたり、あるいは、それらを組み合わせる制御をおこなう。
【０１４７】
また、電子装置１１０は、使用者に対して、電子装置１１０と情報端末１２０との位置関係を正しく合うように促す処理をおこなわせた上で、ステップＳ７１２やステップＳ７１３を再度おこなう。また、その際に、情報端末１２０も同様にステップＳ７２２やステップＳ７２３を再度おこなう。
【０１４８】
情報端末１２０は、ステップＳ７２４による通信環境が整った旨の音響信号を送信した後、電子装置１１０から送信される情報信号を受信するまで待機する（ステップＳ７２５）。
【０１４９】
このとき、情報端末１２０は、所定期間待機している間に情報信号を受信しなかった場合に、当該所定期間経過後に、ステップＳ７２４に戻って、受信側（電子装置１１０側）環境が整った旨の信号を再送信するようにしてもよい。
【０１５０】
電子装置１１０は、情報端末１２０から受信側環境が整った旨の音響信号を受信することにより、通信環境が整ったことを確認する（ステップＳ７１４）。
【０１５１】
なお、電子装置１１０は、情報端末１２０からの音響信号が正しく受信（受音）できないと判断した場合は、静かな環境でおこなうようにするなど受信（受音）環境の状態を、使用者に知らせるようにしてもよい。また、電子装置１１０は、情報端末１２０が音響素子３０４の音量や音調（音色、発音周波数帯）を変更できる場合は、変更する旨の光信号を情報端末１２０へ送信してもよい。
【０１５２】
そして、情報端末１２０は、応答信号（音響信号）の音量を強めたり、音調を変更したり、音響信号の送信速度を遅くまたは速くしたり、音の位相を変更する、あるいはそれらのいずれかを２つ以上組み合わせる制御をおこない、ステップＳ７２３やステップＳ７２４の処理を再度おこなう。また、電子装置１１０も同様に、ステップＳ７１４の処理を再度おこなう。
【０１５３】
つぎに、電子装置１１０は、情報端末１２０に対して情報信号を送信する（ステップＳ７１５）。ステップＳ７１５においては、電子装置１１０は、情報信号として、たとえば、電子装置１１０において計時している時刻を示すタイムコードを、情報端末１２０へ送信する。
【０１５４】
そして、電子装置１１０は、完了信号の受信を待機する（ステップＳ７１６）。なお、電子装置１１０は、所定期間待機している間に完了信号を受信しなかった場合に、当該所定期間経過後に情報信号を再送信するようにしてもよい。このステップＳ７１６における所定期間は、送信する情報信号の種類やデータ量などに応じて異なるように設定してもよい。たとえば、短時間で送信および処理が完了すると見込まれる場合は、待機時間である所定期間を短く設定するようにしてもよい。一方、送信および処理が完了するのに長時間が必要であると見込まれる場合は、所定時間を長く設定するようにしてもよい。
【０１５５】
つぎに、情報端末１２０は、電子装置１１０から情報信号を受信する（ステップＳ７２６）。
【０１５６】
そして、情報端末１２０は、受信した情報信号に応じた処理をおこなう（ステップＳ７２７）。ステップＳ７２７においては、情報端末１２０は、たとえば、電子装置１１０から送信されるタイムコードに基づいて、情報端末１２０が計時する内部時刻を修正したり、修正した内部時刻に基づいて時刻表示部３０１が表示する時刻を修正したりする。また、情報端末１２０は、タイムコードとは別に遅延時間に関する情報を取得している場合は、遅延時間を考慮して内部時刻を修正することができる。
【０１５７】
また、ステップＳ７２７においては、情報端末１２０は、電子装置１１０から送信される情報信号に応じた処理が正常に完了しなかった場合に、音響素子３０４に通電し、当該音響素子３０４から所定の発音パターンの音を発生させることによって、電子装置１１０に対して、情報信号の再送信を要求する信号を送信してもよい。
【０１５８】
また、ステップＳ７２６において、情報端末１２０は、電子装置１１０が計時する時刻に基づくタイムコードと、当該タイムコードに基づいて修正された情報端末１２０の内部時刻の通知要求と、を含む情報信号を受信した場合、ステップＳ７２７においては、この情報信号に応じて修正した内部時刻を電子装置１１０へ送信するようにしてもよい。この場合、情報端末１２０は、電子装置１１０が計時する時刻との遅延時間を加味したタイムコードにかかる情報信号、またはタイムコードに遅延時間に関する情報が付与された情報信号を待機し、２回目に受信した情報信号に基づいて内部時刻を修正するようにしてもよい。
【０１５９】
その後、情報端末１２０は、電子装置１１０に対して、情報信号に応じた処理が完了した旨の完了信号を送信して（ステップＳ７２８）、情報端末１２０側における一連の処理を終了する。完了信号を送信するタイミングは、情報信号に応じた処理がおこなわれた後のタイミングとしてもよく、そのタイミングに代えて、情報信号が正しく受信できたことを判定できたタイミングとするようにしてもよい。
【０１６０】
この場合、たとえば、情報信号を所定のデータ列にエラーチェック用のパリティを付加したものとすることができる。そして、受信した情報信号から算出されるパリティと受信したパリティ信号とを比較して、同一である場合に正しく受信できたと判定し、受信が完了したことを送信するようにしてもよい。ここで、判定のために使用するデータはパリティに限定されず、たとえば、ＣＲＣ（Ｃｙｃｌｉｃ  Ｒｅｄｕｎｄａｎｃｙ  Ｃｈｅｃｋ：巡回冗長検査）などの誤り制御方法を使用するようにしてもよい。
【０１６１】
電子装置１１０は、完了信号を受信する（ステップＳ７１７）。そして、電子装置１１０は、通信完了の確認処理をして（ステップＳ７１８）、電子装置１１０側における一連の処理を終了する。
【０１６２】
なお、電子装置１１０は、完了信号を受信する前に、情報端末１２０から、情報信号の再送信を要求する信号を受信した場合、ステップＳ７１５において送信した情報信号に応じた処理が情報端末１２０において正常に完了しなかったと判断し、発光素子２０６を所定のパターンで発光させることによって、所定の時間が経過後に、当該情報信号を再送信するようにしてもよい。
【０１６３】
電子装置１１０は、通信環境の設定後であったとしても、情報信号の再送信に際しては、発光素子２０６が発光する光の発光パターンにかかる点滅速度を、先の情報信号の送信時とは異ならせてもよい。電子装置１１０は、具体的には、たとえば、先の情報信号の送信時よりも、再送信時の方が点滅速度が遅くなるように制御する。
【０１６４】
点滅速度を遅くすることにより、先の情報信号の送信時よりも、点灯している時間、および、先の点灯からつぎの点灯までの消灯時間が長くなるので、情報端末１２０に対して、点灯している状態と消灯している状態とを明確に区別させることができる。これにより、電子装置１１０や情報端末１２０の周囲の明るさが変動した場合であっても、電子装置１１０と情報端末１２０との双方向通信を確実におこなうことができる。
【０１６５】
また、電子装置１１０は、情報信号の再送信に際しては、電子装置１１０が計時する時刻に基づくタイムコードと、当該タイムコードに基づいて修正された情報端末１２０の内部時刻の通知要求と、を含む情報信号を送信し、この情報信号に応じて情報端末１２０から修正された内部時刻と、電子装置１１０が計時する時刻とに基づいて遅延時間を測定し、測定した遅延時間を加味したタイムコードにかかる情報信号を情報端末１２０へ送信するようにしてもよい。
【０１６６】
このように、処理手順１においては、情報端末１２０は、電子装置１１０からの確認信号や情報信号に基づいて処理をおこない、処理の結果に応じて通信環境に関する情報や完了信号を電子装置１１０に送信することについて説明をおこなった。ここで、処理手順１においては、情報端末１２０が、たとえば、電子時計である場合に、電子時計が有する制御ＩＣでこのような処理をおこなうことは、負荷が高くなったり、また、消費電力も大きくなってしまう場合がある。
【０１６７】
そこで、情報端末１２０は、電子装置１１０から受光したアナログデータをそのまま応答信号として発音部５５８を介して電子装置１１０に送信し、通信環境の確認や情報信号の通信状況の確認処理を、電子装置１１０においておこなうようにしてもよい。その処理手順について、つぎの処理手順２において説明する。
【０１６８】
（双方向通信システム１００の処理手順２）
双方向通信システム１００の別の処理手順（処理手順２）について図７Ｂを用いて説明する。図７Ｂは、双方向通信システム１００の別の処理手順（処理手順２）を示す説明図である。図７Ｂにおいては、図７Ａと同様に、左側が電子装置１１０の処理手順であり、右側が情報端末１２０の処理手順であり、互いの各処理のタイミングを示している。以下の説明において、図７Ａと同様の処理については、その説明を省略する。
【０１６９】
まず、電子装置１１０は、処理手順１のステップＳ７１１と同様に、所定の入力操作を受け付けた場合に通信モードをＯＮにする（ステップＳ１７１１）。
【０１７０】
そして、電子装置１１０は、準備信号を送信する（ステップＳ１７１２）。準備信号は、情報端末１２０に向けて送信する光信号であり、電子装置１１０や情報端末１２０との通信環境の確認や当該通信環境に応じた光信号に関するパラメータを設定するための信号である。たとえば、消灯を「０」、点灯を「１」とする点滅信号としてもよい。
【０１７１】
電子装置１１０は、準備信号に応じて情報端末１２０から送信される応答信号の受信を待機する（ステップＳ１７１３）。
【０１７２】
一方、情報端末１２０は、処理手順１のステップＳ７２１と同様に、まず、通信モードをＯＮとする（ステップＳ１７２１）。
【０１７３】
そして、情報端末１２０は、電子装置１１０からの光信号の受信（受光）を待機する（ステップＳ１７２２）。
【０１７４】
その後、情報端末１２０は、電子装置１１０から光信号を受信した場合に、受光によって得られる発電電圧のアナログデータをそのまま、または所定のゲイン調整をおこなって音響信号に変換して、電子装置１１０に向けて送信する（ステップＳ１７２３）。このように、情報端末１２０は、受光部５５１によって発生するアナログデータを、発音制御部５５７に入力して、発音部５５８から音響信号として送信する。
【０１７５】
これにより、情報端末１２０は、たとえば、受光強度（発電電圧、照度）などに応じて、音響信号の音量、発生周波数または時間長が変化する信号を送信することができる。より具体的には、音響信号として使用する周波数帯が４〜８ｋＨｚであるとした場合に、受光素子３０３による受光強度が第１閾値より低ければ４ｋＨｚとし、第２閾値より高ければ８ｋＨｚとし、第１閾値と第２閾値の間は、４〜８ｋＨｚの間のいずれかの周波数に変換して音響信号を出力することができる。
【０１７６】
このように処理することによって、情報変換部５５２による処理を介さないため、情報端末１２０に負荷を与えなくて済む。このとき、発音制御部５５７への入力と同時に情報変換部５５２にも信号を入力してもよい。ただし、入力される信号は、「１」と「０」の点滅信号であるため、情報端末１２０は、これらの点滅信号をデータとしての意味をなさないと判断して、何らの処理もおこなわない。情報端末１２０は、ステップＳ１７２２と同様に、引き続き、電子装置１１０からの光信号の受信（受光）を待機する。
【０１７７】
一方、電子装置１１０は、情報端末１２０から送信される応答信号を受信する（ステップＳ１７１４）。
【０１７８】
そして、電子装置１１０は、ステップＳ１７１４において受信した応答信号に基づいて、通信環境の確認をおこなう（ステップＳ１７１５）。このとき、たとえば、電子装置１１０による音響信号の復号アルゴリズムを、情報端末１２０と同じ復号アルゴリズムにしておくことによって、同じ信号が受信できているか否かの判定を容易におこなうことができる。通信環境の確認内容としては、たとえば、電子装置１１０と情報端末１２０との位置関係や、外乱光などの外部ノイズの影響、双方向通信にともなう遅延時間などが挙げられる。
【０１７９】
上述したように、音響信号が受光部５５１の受光強度に応じた周波数として変換される場合、電子装置１１０が集音部５１６によって受音した音響信号の周波数から通信環境を確認することができる。たとえば、情報端末１２０の発音部５５８である圧電素子が音響信号として使用する周波数帯を４〜８ｋＨｚとした条件においては、集音ができていなければ、集音部５１６が音響信号を受信できていないと判定するか、あるいは、情報端末１２０の通信モードが「ＯＮ」の状態になっていないと判定することができる。
【０１８０】
また、周波数が４ｋＨｚであれば、電子装置１１０の発光部５１１と情報端末１２０の受光部５５１との位置関係がずれており、光量が足りないため、充分な発電ができていないと判定することができる。さらに、周波数が８ｋＨｚであれば、受光強度が強すぎるため、太陽光などの外乱光が入っていると判定することができる。また、発光部５１１の発光強度を調整できる場合は、発光強度が強すぎると判定してもよい。４〜８ｋＨｚの中間である６ｋＨｚ近傍であれば、位置が合っていると判定することができる。
【０１８１】
また、縦軸を周波数、横軸を時間軸とした音響信号の振幅から判定してもよく、振幅が狭い場合は、電子装置１１０と情報端末１２０の位置がずれていると判定することができる。この場合に、位置ずれや外乱光による影響があると判定されたことを、電子装置１１０の通知部５２３（たとえばディスプレイ２０１など）を介して使用者に通知して、正しい位置合わせを促したり、通信環境を整えるように促す構成としてもよい。
【０１８２】
また、送信した光信号に応じて生成される音響信号を受信（受音）しているため、電子装置１１０は、送信した光信号データ（ビット列）と、受音した音響信号のデータ（ビット列）を比較、照合することによって、ノイズ成分となっている外乱光などの影響の程度を判断することができる。
【０１８３】
電子装置１１０は、照合したビット列が異なっている場合は、たとえば、外乱光が混ざり合っている可能性があると判断することできる。この場合に、外乱光によるノイズの影響があることを、電子装置１１０の通知部５２３（たとえばディスプレイ２０１など）を介して使用者に通知して、外乱光が受光部５５１に入らないように対処することを促すような構成としてもよい。
【０１８４】
さらに、電子装置１１０は、光信号に応じて情報端末１２０において生成される音響信号を受音するまでの期間に基づいて、遅延時間を算出するようにしてもよい。電子装置１１０は、具体的には、たとえば、発光部５１１（発光素子２０６）がＬＥＤである場合に、消灯状態から点灯を開始し、輝度が最高になるまでには所定時間がかかる。音響信号はこの輝度に応じて音の周波数が変化するため、受音した音の周波数が所定値で飽和する時間から遅延時間を算出するようにしてもよい。
【０１８５】
上述したように、音響信号の周波数帯（振幅幅）の判定処理、ビット列の照合処理、遅延時間の算出処理の順に各処理をおこなうことによって、双方向通信に適した通信環境とすることができる。
【０１８６】
通信環境の確認を終えると、つぎに、電子装置１１０は、ステップＳ７１５と同様に、情報信号を送信する（ステップＳ１７１６）。
【０１８７】
そして、電子装置１１０は、この情報信号と同じデータ列である応答信号の受信をするために待機する（ステップＳ１７１７）。ここで、電子装置１１０は、通信間環境に関する情報を電子装置１１０のディスプレイ２０１に常時表示しておき、使用者に位置合わせを促す通知をおこなうようにしてもよい。また、たとえば、電子装置１１０は、使用者の位置合わせ操作によって通信環境が整ったと判定された場合には、自動的にステップＳ１７１６へ移行して、情報信号の送信を開始するようにしてもよい。
【０１８８】
一方、情報端末１２０は、処理手順１のステップＳ７２６と同様に、電子装置１１０からの情報信号を受信する（ステップＳ１７２４）。
【０１８９】
そして、情報端末１２０は、ステップＳ１７２３と同様に、情報信号に応じた応答信号として、受信（受光）したアナログデータを音響信号に変換して、電子装置１１０へ送信する（ステップＳ１７２５）。応答信号を送信する際に、情報端末１２０は、情報信号を含むアナログデータを情報変換部５５２に入力し、情報信号の内容に基づいた処理をおこなう（ステップＳ１７２６）。情報信号の内容に基づいた処理として、たとえば、情報端末１２０は、情報信号がタイムコード情報であれば、内部時刻をタイムコード情報の時刻に更新する。
【０１９０】
これにより、情報端末１２０は、情報変換部５５２による所定の処理をおこなうと双方向通信の一連の処理を終了する。ここで、情報端末１２０は、情報変換部５５２による所定の処理をおこなった後に、再び受信待機状態へ戻り、情報信号の受信をおこなうように構成してもよい。このとき、情報端末１２０の情報記憶部５５４に、双方向通信を終了するための終了コードをあらかじめ記憶しておいて、情報変換部５５２によって当該終了コードを受信したときに、双方向通信を終了する処理をおこなう。
【０１９１】
また、情報端末１２０は、所定の時間内に受光部５５１による受信がおこなわれなかったときに終了するタイムアウト制御をおこなうように構成してもよい。このとき、タイムアウトをした旨を音響信号として発信するようにすることで、電子装置１１０は、情報端末１２０がどのような状態であるかを把握することができる。
【０１９２】
一方、電子装置１１０は、ステップＳ１７２５によって情報端末１２０から送信される応答信号を受信する（ステップＳ１７１８）。
【０１９３】
そして、電子装置１１０は、応答信号に基づいて通信が完了したことを確認すると通信完了処理をおこない（ステップＳ１７１９）、双方向通信における電子装置１１０側の一連の処理を終了する。
【０１９４】
また、上述したように情報端末１２０は、情報信号に基づく処理をおこなうと双方向通信を終了して音響信号の送信をおこなわなくなるため、電子装置１１０が所定時間を経過しても音響信号を受信しない場合は、電子装置１１０は、送信した情報信号にかかる情報端末１２０の一連の処理が終了したものと判断して、電子装置１１０の通信完了処理をおこなうように制御してもよい。
【０１９５】
通信完了の確認は、電子装置１１０からの送信信号と、情報端末１２０からの応答信号とを比較することによって、おこなうことができる。情報端末１２０は、たとえば、電子装置１１０が光信号として送信したデータ列と、情報端末１２０からの音響信号によるデータ列とを照合し、同一のデータ列と判断された場合に、正しく受信することができたと判定することができる。また、情報端末１２０は、電子装置１１０が光信号として送信したデータ列と、情報端末１２０からの音響信号によるデータ列とを照合した結果、データ列が一致しないときは、正しく受信がおこなわれておらず、間違った情報信号による処理がおこなわれた可能性があると判定する。そして、そのような判定がなされた場合には、情報端末１２０は、光信号の再送信をおこなうように制御してもよい。
【０１９６】
このように、情報端末１２０は、受光部５５１によって受信した発電電圧によるアナログ信号を音響信号に変換して応答信号として送信し、かつ、このアナログ信号を変換することによって取得される情報信号に応じた処理をおこなうようする。また、電子装置１１０は、送信信号である光信号と情報端末１２０からの応答信号である音響信号を比較することによって、通信環境を確認するようにする。これにより、情報端末１２０が通信環境を判定するための負荷を除去または軽減することができる。
【０１９７】
また、このような構成とした場合に、情報端末１２０は、取得した情報信号に応じた処理を順次おこなうが、仮に、通信エラーなどによって誤った情報（たとえば、正しい時刻とは異なるタイムコード）に更新されるなどの不具合が生じたとしても、そのような不具合が生じたことを電子装置１１０によって判定することができる。このため、エラーのための専用の双方向通信処理をおこなう必要はない。したがって、あらためて正しい情報信号を送信することが可能であり、情報端末１２０は再び情報信号を受信して正しい情報（正しい時刻のタイムコード）に更新することができる。
【０１９８】
処理手順２においては、情報信号の送信前に準備信号を送信して双方向通信の通信環境を確認するとして説明をおこなったが、情報端末１２０は、受光した情報信号に応じて応答信号である音響信号を送信するため、双方向通信中は、常時または定期的に、通信環境（通信状況）を確認するような構成としてもよい。
【０１９９】
これにより、情報端末１２０から電子装置１１０に向けて光信号の発光強度や発光波長帯、発光速度を変更するような命令信号を出さなくとも、集音部５１６によって受音した音の周波数から、受信レベルや信号品質（Ｓ／Ｎ）を確認することができる。したがって、情報端末１２０の負荷を増加させることがない。また、通信環境の改善処理にかかる処理をおこなう必要がないため、双方向通信時間の長期化を効率よく抑制することができる。
【０２００】
また、電子装置１１０の発光部５１１による発光強度や発光波長帯などを可変にすることが可能な場合には、電子装置１１０は、定期的に発光強度や発光波長を変更して、光信号の変化に応じて送信される音響信号の音量や音調などを受音することによって、双方向通信にかかる遅延時間を測定するようにしてもよい。
【０２０１】
たとえば、電子装置１１０は、第１の発光強度で光信号を送信し、所定時間経過後に第２の発光強度に変更するように制御をおこなう。これに対して、情報端末１２０は、第１の発光強度の光信号を受信したときには、第１の音調を応答信号として送信し、第２の発光強度の光信号を受信したときには、第２の音調を応答信号として送信するように制御する。そして、電子装置１１０は、第１の発光強度から第２の発光強度に切り換えるタイミングからカウントを始めて、集音部５１６によって受音する音響信号が第１の音調から第２の音調に切り替わるまでの時間を測定する。電子装置１１０は、この測定時間に基づいて遅延時間を求めるようにしてもよい。
【０２０２】
以上説明したように、この発明にかかる実施の形態の双方向通信システム１００によれば、既存の通信規格に従った通信インターフェースを用いることなく、情報端末装置（情報端末および電子装置）間における双方向通信を実現することができる。これにより、送受信環境を容易に確立することができるとともに、電子装置１１０と情報端末１２０との間での通信における双方向の受信状況を確認することができる。
【０２０３】
また、この発明にかかる実施の形態の双方向通信システム１００によれば、双方向通信をおこなう電子装置１１０と情報端末１２０とのうちの一方が、情報端末１２０のように、既存の通信規格に従った専用の通信手段をもたない装置である場合にも、ソーラパネルなどの受光素子３０３やアラームの報知に用いる音響素子３０４を利用して電子装置１１０と情報端末１２０との間における双方向通信を実現することができる。これにより、スマートフォンなどの情報端末１２０と電子時計などの電子装置１１０との間での双方向通信を、低コストで実現することができる。
【０２０４】
また、電子装置１１０と情報端末１２０とが、それぞれ無線電波通信部５２４、５６０を有している場合でも、互いのペアリングのための初期設定など、所定の通信においてのみ上述した光信号と音響信号による双方向通信をおこない、ペアリング設定後または所定の通信以外では、無線電波通信部５２４、５６０による通信をおこなうように制御してもよい。特に、情報端末１２０が時計である場合、ＷｉＦｉなどの無線通信の際に必要となるパスワード設定を時計単体で入力することは困難であるため、光信号と音響信号とを用いた双方向通信により、時計側の操作を減らして、容易にＷｉＦｉなどの無線通信のための設定をおこなうことができる。
【０２０５】
上述の双方向通信においては、電子装置１１０から情報端末１２０へのデータ送信であるとして説明をおこなったが、情報端末１２０から電子装置１１０へのデータ送信であってもよい。たとえば、情報端末１２０が標準電波を受信可能な電波時計である場合に、電波時計が受信した約４０ｋＨｚの電波を検波した波形（タイムコード波形）を音声に変調して電子装置１１０へ出力する。電子装置１１０は、受信（受音）したタイムコード波形に基づいて、電波時計の信号品質を解析して、解析結果をフィードバックするために当該解析結果にかかるデータを電波時計に送信する。
【０２０６】
また、ディスプレイ２０１を用いて使用者に解析結果を表示するようにしてもよい。電波時計による情報表示面積は電子装置１１０の一例であるスマートフォンなどのディスプレイと比較して小さく情報量を多く載せることが困難である。スマートフォンのディスプレイ２０１を用いることにより多様な解析結果を表示することが可能であり、使用者により多くの情報を提示することができる。
【０２０７】
（電子装置１１０と情報端末１２０との位置合わせについての説明）
上述の処理手順において説明したとおり、電子装置１１０は、双方向通信アプリケーションを起動し、通信モードをＯＮの状態にして、通信環境の確認用の光信号を情報端末１２０に向けて送信し、当該光信号を受信した情報端末１２０から確認用の光信号を受け取った旨（受信側環境が整った旨）の音響信号を受信（集音）することによって通信環境の確認をおこなう。このとき、電子装置１１０の発光素子２０６と情報端末１２０の受光素子３０３とを対向させて通信環境を確立させる必要がある。電子装置１１０と情報端末１２０との位置合わせについて図８〜１２を用いて説明する。
【０２０８】
電子装置１１０は、撮像素子２０５が生成する画像データをディスプレイ２０１に表示する。これにより、使用者は、電子装置１１０と情報端末１２０との位置関係を容易かつ確実に認識することができる。電子装置１１０は、撮像素子２０５が生成する画像データに基づいて、撮像された情報端末１２０の識別情報を特定するようにしてもよい。また、情報端末１２０は、電子装置１１０に向けて、情報端末１２０の識別情報を含む音響信号を送信するようにしてもよい。また、電子装置１１０の双方向通信アプリケーションによって、使用者に情報端末１２０の識別情報である型式情報を入力または選択できるようにする。このように、使用者の設定よって情報端末１２０の識別情報を特定するようにしてもよい。
【０２０９】
図８に示すように、電子装置１１０は、情報端末１２０の識別情報に応じた情報端末１２０の最適位置を案内する画像、たとえば、情報端末１２０の外形を示すガイド枠８０１を、ディスプレイ２０１に表示する。さらに、電子装置１１０は、ガイド枠８０１に対して、撮像素子２０５によって撮像されてディスプレイ２０１に表示される情報端末１２０の画像がずれている場合、図８に示すように、「位置がずれています」などのメッセージ８０２を表示するようにしてもよい。
【０２１０】
これにより、使用者は、ディスプレイ２０１に表示されたガイド枠８０１に、撮像素子２０５によって撮像されてディスプレイ２０１に表示される情報端末１２０の画像が重なるように、電子装置１１０と情報端末１２０との位置関係を調整するだけで、容易に通信環境を最適化することができる。このとき、最適化されていることを確認するための光信号および音響信号の双方向通信をおこなうようにしてもよい。通信による最適化の確認については、互いの受信周波数帯域が合致しているかの確認や、受信した信号強度が閾値を越えているかの確認などをおこなうようにしてもよい。
【０２１１】
情報端末１２０の識別情報が不明な場合は、電子装置１１０の撮像素子２０５と発光素子２０６との位置関係から、情報端末１２０の受光素子３０３が位置すべき領域を、ガイド枠８０１に代えて示すようにしてもよい。電子装置１１０の撮像素子２０５と発光素子２０６との位置関係は、電子装置１１０の種類、たとえば、スマートフォンやタブレット端末の型式情報によって異なる。したがって、双方向通信アプリケーションは、上述したように、情報記憶部５１４に記憶された電子装置１１０の識別情報である型式情報ごとの撮像素子２０５と発光素子２０６との位置関係を示す情報を読み込めるようにすることが好ましい。
【０２１２】
図９に示すように、電子装置１１０は、情報端末１２０との位置関係が最適化されると、「通信環境が整いました」などのメッセージ９０１や、撮像画像に基づいて特定される情報端末１２０の識別情報９０２をディスプレイ２０１に表示する。これにより、使用者は、通信環境が整ったことや、電子装置１１０が情報端末１２０の型式を正確に認識したことを確認することができる。
【０２１３】
また、上述のように情報端末１２０の識別情報が不明であった場合は、電子装置１１０は、電子装置１１０と情報端末１２０との通信環境が整った後、情報端末１２０の識別情報を取得するようにしてもよい。この場合に、ガイド枠８０１に情報端末１２０の画像が一致した際に、電子装置１１０から情報端末１２０に対して、識別情報の送信を要求する光信号を送信するようにすることができる。
【０２１４】
情報端末１２０は、受光素子３０３において受光した光の発光パターンに基づいて、電子装置１１０との通信環境が整ったことを認識すると、図９に示すように、秒針などの所定の指針３０１ｂを所定の位置（たとえば、１２時の位置）に位置づけるようにしてもよい。このとき、他の指針も受光素子３０３を覆わないように、回避動作をおこなうようにしてもよい。そして、受光素子３０３において受光した光の発光パターンに基づいて、電子装置１１０からの識別情報の送信要求に応じて、所定の発音パターンで音を発生させ、識別情報を送信するようにしてもよい。
【０２１５】
電子装置１１０は、情報端末１２０との通信中は、図１０に示すように、「通信中・・・」などのメッセージ１００１を表示する。これにより、使用者は、電子装置１１０と情報端末１２０とが通信中であることを確認することができ、通信中に電子装置１１０と情報端末１２０との位置関係をずらしてしまうなどして、通信が中断することを回避することができる。
【０２１６】
情報端末１２０は、電子装置１１０との通信中は、図９や図１０に示すように、秒針などの所定の指針３０１ｂを所定の位置（たとえば、１２時の位置）に位置づけた状態とするようにしてもよい。このように、電子装置１１０は、情報端末１２０の画像をディスプレイ２０１に表示しているため、使用者は、ディスプレイ２０１を介して情報端末１２０の秒針の位置を確認するだけで、情報端末１２０を直接目視することなく、電子装置１１０と情報端末１２０との通信環境が整い、通信をおこなっていることを確認することができる。電子装置１１０は、情報端末１２０から識別情報を取得することにより、情報端末１２０が確実に認識可能な発光パターンで発光して、情報端末１２０との通信をおこなうことができる。
【０２１７】
電子装置１１０は、通信環境が整い、情報端末１２０から識別情報を取得した後は、双方向通信の目的とする情報信号を送信する。電子装置１１０は、たとえば、タイムコードを含む時刻情報や、アラーム時刻の設定、都市情報の設定、ファームウェアのアップデート用の信号などの情報信号を送信することができる。情報端末１２０は、電子装置１１０との通信中は、図９や図１０に示すように、秒針などの所定の指針３０１ｂを所定の位置に位置づけた状態とし、通信が完了または中断すると、所定の指針３０１ｂを該当する各位置に位置づけることによって通信結果を表示する。
【０２１８】
情報端末１２０は、電子装置１１０との通信が正常に完了した場合に、電子装置１１０に向けて通信が完了した旨の音響信号を送信するとともに、図１１に示すように、秒針を通信が完了したことを示す位置（たとえば、１時の位置）に位置づけるようにしてもよい。電子装置１１０は、情報端末１２０との通信が正常に完了した場合に、図１１に示すように、「通信処理が完了しました」などのメッセージ（完了通知）１１０１を表示するようにしてもよい。
【０２１９】
また、情報端末１２０は、電子装置１１０との通信が失敗した場合に、電子装置１１０に向けて通信が失敗した旨の音響信号を送信するとともに、図１２に示すように、秒針を通信が失敗したことを示す位置（たとえば、１１時の位置）に位置づけるようにしてもよい。電子装置１１０は、情報端末１２０との通信が失敗した場合、図１２に示すように、「通信処理に失敗しました」などのメッセージ（通信エラー通知）１２０１を表示するようにしてもよい。
【０２２０】
通信に失敗した場合、電子装置１１０は、図１２に示すように、情報信号の再送信をおこなうか、または、双方向通信を終了するかのいずれかを選択する選択キー１２０２を表示するようにしてもよい。これにより、使用者は、双方向通信を再度おこなうか選択することができる。
【０２２１】
電子装置１１０は、撮像素子２０５を、環境光を受光するセンサとしても活用し、あるいは、環境光を受光するセンサを別途に設けて、環境光が安定しない（具体的には、所定の閾値より強かったり、あるいは変動しているなど）と判断される場合は、外乱光に注意するよう促すメッセージをディスプレイ２０１に表示するようにしてもよい。また、電子装置１１０が備える加速度センサの出力値に基づいて、電子装置１１０に動きがあると判断される場合は、安定して置くように促すメッセージをディスプレイ２０１に表示するようにしてもよい。
【０２２２】
また、電子装置１１０は、情報信号の送信を開始した後、情報端末１２０からの応答がなくても、情報端末１２０が情報を受信するのに十分な時間経過したと判断される場合は、情報信号の送信を停止して、使用者に受信状態を確認するように促すメッセージをディスプレイ２０１に表示するようにしてもよい。
【０２２３】
また、電子装置１１０は、情報信号の送信中であっても、上記加速度センサの情報から、電子装置１１０が動いている（あるいは、動かされている）と判断される場合には、経過時間のカウントに含めなくてもよい。また、電子装置１１０が動いている（あるいは、動かされている）と判断される場合には、経過時間のカウントをリセットするようにしてもよい。
【０２２４】
電子装置１１０は、複数の異なる識別情報（型式、キャリバー情報）を使用者に選択可能にディスプレイ２０１に表示するようにしてもよい。また、電子時計の文字板３０１ａの撮像画像から型式情報が取得できない場合には、ディスプレイ２０１に、識別情報の確認方法を表示するようにしてもよい。使用者が通信の目的とする情報端末１２０の識別情報を取得している場合（既知の状態）では、情報端末１２０を受信待機状態にするための操作方法を表示するようにしてもよい。
【０２２５】
このように、秒針の位置のみならず、電子装置１１０のディスプレイ２０１に表示したメッセージ１１０１、１２０１によって通信結果を案内することにより、使用者は、ディスプレイ２０１を介して情報端末１２０の秒針の位置を確認するだけで、視線を大きく移動させることなく電子装置１１０と情報端末１２０との通信結果を確認することができる。使用者の視線の移動を抑えることにより、視線の移動にともなって通信中に電子装置１１０と情報端末１２０との位置関係がずれてしまうなどして、通信が中断することを回避できる。
【０２２６】
また、この発明にかかる実施の形態の双方向通信システム１００によれば、電子装置１１０のディスプレイ２０１に、通信対象となる情報端末１２０を撮像した画像を表示することにより、使用者が、電子装置１１０と情報端末１２０との位置関係を、直接目視して確認することなく、容易かつ確実に認識することができる。
【０２２７】
また、この発明にかかる実施の形態の双方向通信システム１００によれば、電子装置１１０の撮像機能のために、撮像素子２０５とともにケース２００の背面に設けられている発光素子２０６の発光パターンを制御することによって、情報端末１２０に情報信号を送信することができる。これにより、使用者は、双方向通信に際してはディスプレイ２０１のみを注視すればよく、電子装置１１０と情報端末１２０との双方向通信を、容易かつ確実におこなうことができる。
【０２２８】
このように、この発明にかかる実施の形態の双方向通信システム１００によれば、双方向通信の間、情報端末１２０の画像をディスプレイ２０１に表示することにより、たとえば、秒針の位置のように通信状況に応じた情報端末１２０の変化を、ディスプレイ２０１を介して確認することができる。これによっても、使用者は、双方向通信に際してはディスプレイ２０１のみを注視すればよく、電子装置１１０と情報端末１２０との双方向通信を、容易かつ確実におこなうことができる。
【０２２９】
また、この発明にかかる実施の形態の双方向通信システム１００によれば、双方向通信の結果を、時刻表示のために情報端末１２０が備える指針３０１ｂ（秒針）の位置によって案内することにより、情報端末１２０に通信結果を専用に報知する機構を不要とすることができる。これにより、情報端末１２０の美観を確保しつつ、双方向通信の結果を使用者に対して確実に伝えることができる。
【産業上の利用可能性】
【０２３０】
以上のように、この発明にかかる双方向通信システムおよび情報端末および電子装置は、情報端末装置（情報端末および電子装置）間の双方向通信を実現する双方向通信システムに有用であり、特に、既存の通信規格に従った通信インターフェースを用いることなく、情報端末装置（情報端末および電子装置）間の双方向通信を実現する双方向通信システムおよび情報端末および電子装置に適している。
【符号の説明】
【０２３１】
１００  双方向通信システム
１１０  電子装置
１２０  情報端末
２０１  ディスプレイ
２０４  マイク
２０５  撮像素子
２０６  発光素子
３０１  時刻表示部
３０１ｂ  指針
３０３  受光素子
３０４  音響素子
【図１】
2018191228.tif 000003
【図２】
2018191228.tif 000004
【図３】
2018191228.tif 000005
【図４】
2018191228.tif 000006
【図５】
2018191228.tif 000007
【図６】
2018191228.tif 000008
【図７Ａ】
2018191228.tif 000009
【図７Ｂ】
2018191228.tif 000010
【図８】
2018191228.tif 000011
【図９】
2018191228.tif 000012
【図１０】
2018191228.tif 000013
【図１１】
2018191228.tif 000014
【図１２】
2018191228.tif 000015